(57)【要約】本明細書では、無線通信システムにおけるランダムアクセスを実行する方法及び装置を提供する。本明細書の一実施形態によれば、定まった条件により設定されたアップリンクタイミンググループ内の代表ＣＣを通じてアップリンクタイミングを獲得するための時間調整の値を獲得し、前記獲得した時間調整の値を用いて該当アップリンクタイミンググループの時間調整の値をアップデートすることを特徴とする。
2013528968.tif 000002
【特許請求の範囲】
【請求項１】
無線通信システムにおけるランダムアクセスを実行する方法であって、
複数のコンポーネントキャリア（ＣＣ）のうち、中心周波数の差がしきい値範囲内に存在するＣＣ、同一なビームフォーミングを有するＣＣ、同一な時間調整（ＴＡ）の値を有するＣＣ、または前記時間調整（ＴＡ）の値を獲得するための基準ダウンリンクコンポーネントキャリアが同一なＣＣを、アップリンクタイミンググループに設定するステップと、
前記設定したアップリンクタイミンググループ内の最も低い中心周波数値を有するＣＣ、最も平均に近い中心周波数値を有するＣＣ、最も高い中心周波数値を有するＣＣ、最も広い周波数帯域を有するＣＣ、およびラジオリンクモニターリング（ＲＬＭ）が定義されたＣＣのうち、少なくとも１つを満たすＣＣを代表ＣＣに設定するステップと、
前記設定された代表ＣＣを通じてアップリンクタイミングを獲得するための時間調整の値を獲得するステップと、
前記獲得した時間調整の値を用いて該当アップリンクタイミンググループの時間調整の値をアップデートするステップと、
を含むことを特徴とする、ランダムアクセス実行方法。
【請求項２】
追加または削除されるＣＣが存在するか否かを確認するステップと、
前記確認されたＣＣに基づいて前記アップリンクタイミンググループを再設定するステップと、
を含むことを特徴とする、請求項１に記載のランダムアクセス実行方法。
【請求項３】
前記時間調整タイマーの値を獲得するステップは、
基地局（ｅＮＢ）から転送される前記アップリンクタイミングを獲得するための時間調整の値を含むランダムアクセス応答メッセージを受信して獲得することを特徴とする、請求項１に記載のランダムアクセス実行方法。
【請求項４】
ＴＡの値をアップデートするための条件が発生することを感知するステップをさらに含み、
前記ＴＡの値をアップデートするための条件は、
ダウンリンクＣＣに対して同期再設定を要求する場合、アップリンクデータの転送を初期化する場合、ＵＥ専用時間調整タイマー（Time Alignment timer）が満了する場合、およびアップリンクタイミンググループ毎に設定された時間調整タイマーが満了する場合のうち、少なくとも１つに該当するものであることを特徴とする、請求項１に記載のランダムアクセス実行方法。
【請求項５】
前記時間調整タイマーの値を獲得するステップは、
端末（ＵＥ）によりアップリンクタイミンググループが解除されたＣＣを通じてランダムアクセスプリアンブル（ＲＡＰ）を転送する、または特定アップリンクタイミンググループ内で有効性を確保していない特定ＣＣを通じてＲＡＰを転送するステップをさらに含むことを特徴とする、請求項１に記載のランダムアクセス実行方法。
【請求項６】
前記アップリンクタイミンググループを再設定するステップは、
任意のアップリンクＣＣに対してアップリンク転送データに対する応答がない場合、一部ＣＣに対してダウンリンク同期再設定が要求される場合、各ＣＣに対して設定されたＣＣ時間調整タイマー（Time Alignment timer）が満了した場合、またはダウンリンク／アップリンク接続設定が変更される場合、前記アップリンクタイミンググループを再設定することを特徴とする、請求項２に記載のランダムアクセス実行方法。
【請求項７】
前記代表ＣＣを設定するステップは、
アップリンクタイミンググループ内の主サービングセル（Ｐｃｅｌｌ）に対応するコンポーネントキャリアを代表ＣＣに設定するステップをさらに含むことを特徴とする、請求項１に記載のランダムアクセス実行方法。
【請求項８】
無線通信システムにおけるランダムアクセスを実行する装置であって、
複数のコンポーネントキャリア（ＣＣ）のうち、中心周波数の差がしきい値範囲内に存在するＣＣ、同一なビームフォーミングを有するＣＣ、同一な時間調整（ＴＡ）の値を有するＣＣ、または前記時間調整（ＴＡ）の値を獲得するための基準ダウンリンクコンポーネントキャリアが同一なＣＣを、アップリンクタイミンググループに設定するアップリンクタイミンググループ設定部と、
前記設定したアップリンクタイミンググループ内の最も低い中心周波数値を有するＣＣ、最も平均に近い中心周波数値を有するＣＣと、最も高い中心周波数値を有するＣＣ、最も広い周波数帯域を有するＣＣ、およびラジオリンクモニターリング（ＲＬＭ）が定義されたＣＣのうち、少なくとも１つを満たすＣＣを代表ＣＣに設定する代表ＣＣ設定部と、
前記設定された代表ＣＣを通じてアップリンクタイミングを獲得するための時間調整の値を獲得する時間調整値獲得部と、
前記獲得した時間調整の値を用いて該当アップリンクタイミンググループの時間調整の値をアップデートする時間調整値アップデート部と、
を含むことを特徴とする、ランダムアクセス実行装置。
【請求項９】
追加または削除されるＣＣが存在するか否かを確認する確認部と、
前記確認されたＣＣに基づいて前記アップリンクタイミンググループを再設定するタイミンググループ再設定部と、
を含むことを特徴とする、請求項８に記載のランダムアクセス実行装置。
【請求項１０】
前記時間調整値獲得部は、
基地局（ｅＮＢ）から転送される前記アップリンクタイミングを獲得するための時間調整の値を含むランダムアクセス応答メッセージを受信して獲得することを特徴とする、請求項８に記載のランダムアクセス実行装置。
【請求項１１】
ＴＡの値をアップデートするための条件が発生することを感知する条件感知部をさらに含み、
前記ＴＡの値をアップデートするための条件は、
ダウンリンクＣＣに対して同期再設定を要求する場合、アップリンクデータの転送を初期化する場合、ＵＥ専用時間調整タイマー（Time Alignment timer）が満了する場合、およびアップリンクタイミンググループ毎に設定された時間調整タイマーが満了する場合のうち、少なくとも１つに該当するものであることを特徴とする、請求項８に記載のランダムアクセス実行装置。
【請求項１２】
前記時間調整値獲得部は、
端末（ＵＥ）によりアップリンクタイミンググループが解除されたＣＣを通じてランダムアクセスプリアンブル（ＲＡＰ）を転送する、または特定アップリンクタイミンググループ内で有効性を確保していない特定ＣＣを通じてＲＡＰを転送することを特徴とする、請求項８に記載のランダムアクセス実行装置。
【請求項１３】
前記タイミンググループ再設定部は、
任意のアップリンクＣＣに対してアップリンク転送データに対する応答がない場合、一部ＣＣに対してダウンリンク同期再設定が要求される場合、各ＣＣに対して設定されたＣＣ時間調整タイマー（Time Alignment timer）が満了した場合、またはダウンリンク／アップリンク接続設定が変更される場合、前記アップリンクタイミンググループを再設定することを特徴とする、請求項９に記載のランダムアクセス実行装置。
【請求項１４】
前記代表ＣＣ設定部は、
アップリンクタイミンググループ内の主サービングセル（Ｐｃｅｌｌ）に対応するコンポーネントキャリアを代表ＣＣに設定することを特徴とする、請求項８に記載のランダムアクセス実行装置。
【請求項１５】
無線通信システムにおけるランダムアクセスを実行する方法であって、
複数のコンポーネントキャリア（ＣＣ）のうち、中心周波数の差がしきい値範囲内に存在するＣＣ、同一なビームフォーミングを有するＣＣ、同一な時間調整（ＴＡ）の値を有するＣＣ、または前記時間調整（ＴＡ）の値を獲得するための基準ダウンリンクコンポーネントキャリアが同一なＣＣを、アップリンクタイミンググループに設定されたアップリンクタイミンググループ設定情報を受信するステップと、
前記設定したアップリンクタイミンググループ内の最も低い中心周波数値を有するＣＣ、最も平均に近い中心周波数値を有するＣＣ、最も高い中心周波数値を有するＣＣ、最も広い周波数帯域を有するＣＣ、およびラジオリンクモニターリング（ＲＬＭ）が定義されたＣＣのうち、少なくとも１つを満たすＣＣを代表ＣＣに設定して生成された代表ＣＣ設定情報を受信するステップと、
前記受信したアップリンクタイミンググループ設定情報及び代表ＣＣ設定情報に従って時間調整（Ｔａ）の値を算出して転送するステップと、
を含むことを特徴とする、ランダムアクセス実行方法。
【請求項１６】
無線通信システムにおけるランダムアクセスを実行する装置であって、
複数のコンポーネントキャリア（ＣＣ）のうち、中心周波数の差がしきい値範囲内に存在するＣＣ、同一なビームフォーミングを有するＣＣ、同一な時間調整（ＴＡ）の値を有するＣＣ、または前記時間調整（ＴＡ）の値を獲得するための基準ダウンリンクコンポーネントキャリアが同一なＣＣを、アップリンクタイミンググループに設定されて転送されたアップリンクタイミンググループ設定情報と、前記設定したアップリンクタイミンググループ内の最も低い中心周波数値を有するＣＣ、最も平均に近い中心周波数値を有するＣＣ、最も高い中心周波数値を有するＣＣ、最も広い周波数帯域を有するＣＣ、およびラジオリンクモニターリング（ＲＬＭ）が定義されたＣＣのうち、少なくとも１つを満たすＣＣを代表ＣＣに設定して生成された代表ＣＣ設定情報を受信する受信部と、
前記受信したアップリンクタイミンググループ設定情報及び代表ＣＣ設定情報に従って時間調整（Ｔａ）の値を算出するＴＡ値生成部と、
前記生成されたＴＡ値を転送する送受信部と、
を含むことを特徴とする、ランダムアクセス実行装置。
【発明の詳細な説明】
【技術分野】
【０００１】
本発明は無線通信システムにおけるランダムアクセスを実行する装置及び方法に関し、特に、複数のコンポーネントキャリアをサポートする通信システムにおけるランダムアクセスを実行する装置及び方法に関する。
【背景技術】
【０００２】
無線通信システムにおけるユーザ端末と基地局との間の同期化は重要な問題である。なぜならば、同期化がなされないと、ユーザ端末と基地局とは正常な情報を交換できないためである。
【０００３】
現在の無線通信システムは、高速のデータサポートに従うユーザサービス要求を満たさなければならない。ここに、複数のコンポーネントキャリア（Component Carrier；以下、‘ＣＣ’または‘コンポーネントキャリア’という）をサポートする無線通信システムに対して論議中である。しかしながら、上記複数のコンポーネントキャリアに対してどのように同期化を実行するかに対する具体的な議論が定まれていない状態である。
【０００４】
また説明すれば、通信を実行するために、同期化はネットワークの効率に大きい影響を及ぼす要素であり、このような要素を考慮した複数のコンポーネントキャリアが存在する無線通信システムにおける効果的な同期化方式が必要な実状である。
【発明の概要】
【発明が解決しようとする課題】
【０００５】
本発明の目的は、無線通信システムにおける複数のコンポーネントキャリアに対する同期獲得を実行する装置及び方法を提供することにある。
【０００６】
本発明の他の目的は、無線通信システムにおける複数のコンポーネントキャリアに対する同期獲得情報を送受信する装置及び方法を提供することにある。
【０００７】
本発明の更に他の目的は、無線通信システムにおけるアップリンクタイミンググループを設定する装置及び方法を提供することにある。
【０００８】
本発明更に他の目的は、無線通信システムにおける任意のコンポーネントキャリアに対するアップリンクタイミング時間調整情報をアップデートする装置及び方法を提供することにある。
【０００９】
本発明の更に他の目的は、無線通信システムにおけるＵＥのトリガリング条件を考慮して選択的に複数のコンポーネントキャリアに対する同期獲得情報を転送する装置及び方法を提供することにある。
【課題を解決するための手段】
【００１０】
前述した課題を達成するために、本明細書の一実施形態では、多重コンポーネントキャリア（ＣＣ）を用いる無線通信システムにおけるランダムアクセスプリアンブル（ＲＡＰ）転送方法であって、初期アップリンクタイミンググループが設定された状態で、１つ以上のＣＣまたはグループに対するＴＡ（Timing Advance）アップデートを必要とする場合、アップデートを必要とする全てのＣＣまたは代表アップリンクＣＣのＲＡＰを転送するＲＡＰ転送方式を決めるステップと、決まった方式により上記アップデートを必要とする全てのＣＣまたは代表アップリンクＣＣのＲＡＰを転送するステップとを含むランダムアクセスプリアンブル（ＲＡＰ）転送方法を提供する。
【００１１】
本発明の他の実施形態では、多重コンポーネントキャリア（ＣＣ）を用いる無線通信システムにおけるランダムアクセスプリアンブル（ＲＡＰ）転送方法であって、初期アップリンクタイミンググループが設定された状態で、上記アップリンクタイミンググループの再編成を必要とする場合、１つ以上のＣＣに対するＴＡ獲得方式を決めるステップと、上記ＴＡ獲得方式に従って上記１つ以上のＣＣに対するＲＡＰを転送するステップとを含むランダムアクセスプリアンブル（ＲＡＰ）転送方法を提供する。
【００１２】
本発明の他の実施形態では、多重コンポーネントキャリア（ＣＣ）を用いる無線通信システムにおけるＴＡ（Timing Advance）転送方法であって、初期アップリンクタイミンググループが設定された状態で、上記アップリンクタイミンググループの再編成またはＴＡアップデート条件を感知したＵＥから１つ以上のＣＣまたはグループ代表ＣＣに対するＲＡＰを受信するステップと、上記ＲＡＰを受信したＣＣに対するＴＡ値を生成してＵＥに転送するステップとを含むＴＡ転送方法を提供する。
【００１３】
本発明の他の実施形態では、多重コンポーネントキャリア（ＣＣ）を用いる無線通信システムにおけるランダムアクセスプリアンブル（ＲＡＰ）送信装置であって、初期アップリンクタイミンググループが設定された状態で、１つ以上のＣＣまたはグループに対するＴＡアップデートを必要とする場合、アップデートを必要とする全てのＣＣまたは代表アップリンクＣＣのＲＡＰを転送するＲＡＰ転送方式を決めるＲＡＰ転送方式決定部と、決まったＲＡＰ転送方式により上記アップデートを必要とする全てのＣＣまたは代表アップリンクＣＣのＲＡＰの全部または一部を同時に転送し、または上記アップデートを必要とする全てのＣＣまたは代表アップリンクＣＣのＲＡＰの全部を個別に転送するＲＡＰ転送部を含むランダムアクセスプリアンブル（ＲＡＰ）送信装置を提供する。
【００１４】
本発明の他の実施形態では、多重コンポーネントキャリア（ＣＣ）を用いる無線通信システムにおけるランダムアクセスプリアンブル（ＲＡＰ）送信装置であって、初期アップリンクタイミンググループが設定された状態で、上記アップリンクタイミンググループの再編成を必要とする場合、１つ以上のＣＣに対するＴＡ獲得方式を決めるＴＡ獲得方式決定部と、決まったＴＡ獲得方式に従って上記１つ以上のＣＣに対するＲＡＰを転送するＲＡＰ転送部を含むランダムアクセスプリアンブル（ＲＡＰ）送信装置を提供する。
【００１５】
本発明の他の実施形態では、多重コンポーネントキャリア（ＣＣ）を用いる無線通信システムにおけるＴＡ（Timing Advance）転送装置であって、初期アップリンクタイミンググループが設定された状態で、上記アップリンクタイミンググループの再編成またはＴＡアップデート条件を感知したＵＥから１つ以上のＣＣまたはグループ代表ＣＣに対するＲＡＰを受信するＲＡＰ受信部と、上記ＲＡＰを受信したＣＣに対するＴＡ値を生成するＴＡ値生成部と、上記生成されたＴＡ値をＵＥに転送する送受信部とを含むＴＡ転送装置を提供する。
【発明の効果】
【００１６】
本発明によれば、無線通信システムにおける複数のコンポーネントキャリアに対する同期獲得を実行する装置及び方法を提供することによって、無線通信システムにおける効果的な同期化方式が得られる。
【図面の簡単な説明】
【００１７】
【図１】本発明が適用される複数のコンポーネントキャリアをサポートする例を示す図である。
【図２】本発明が適用される時間調整（Timing Advance：ＴＡ）の概念を説明した図である。
【図３】本発明が適用されるランダムアクセス手続きを簡略に示す図である。
【図４】本明細書の一実施形態に係るアップリンク同期を獲得する過程を示す図である。
【図５】本明細書の一実施形態に係るアップリンク同期を獲得する過程を示す図である。
【図６】本明細書の一実施形態に係るアップリンク同期を獲得する過程を示す図である。
【図７】本明細書の他の一実施形態に係るアップリンク同期を獲得する過程を示す図である。
【図８】本明細書の他の一実施形態に係るアップリンク同期を獲得する過程を示す図である。
【図９】本明細書の一実施形態が適用されるＵＥの信号流れ図である。
【図１０】本明細書の一実施形態によってグルーピングするＵＥの信号流れ図である。
【図１１】本発明の一実施形態によってＴＡ値をアップデートするＵＥの信号流れ図である。
【図１２】本発明の他の実施形態によってアップリンクタイミンググループを再編成するＵＥの信号流れ図である。
【図１３】本発明の一実施形態に係るｅＮＢの信号流れ図である。
【図１４】本発明の一実施形態に係るＴＡ送信装置の構成図である。
【図１５】本発明の一実施形態に係るＲＡＰ送信装置の構成図である。
【図１６】本発明の他の実施形態に係るＲＡＰ送信装置の構成図である。
【発明を実施するための形態】
【００１８】
以下、本発明の一部の実施形態を添付した図面を参照しつつ詳細に説明する。各図面の構成要素に参照符号を付加するに当たって、同一な構成要素に対してはたとえ他の図面上に表示されても、できる限り同一な符号を有するようにしていることに留意しなければならない。また、本発明を説明するに当たって、関連した公知構成または機能に対する具体的な説明が本発明の要旨を曖昧にすることができると判断される場合にはその詳細な説明は省略する。
【００１９】
以下、本明細書は無線通信システムを一例として説明し、特に複数のコンポーネントキャリアをサポートする次世代の無線通信システムを一例として説明する。しかしながら、本明細書の一実施形態は、ＧＳＭ（登録商標）、ＷＣＤＭＡ、ＨＳＰＡを経てＬＴＥ（Long Term Evolution）及びＬＴＥＡ（LTE advanced）に進化する非同期無線通信と、ＣＤＭＡ、ＣＤＭＡ２０００、及びＵＭＢに進化する同期式無線通信システムに適用できる。
【００２０】
無線通信システムは、端末（User Equipment：ＵＥ）及び基地局（evolved NodeB：ｅＮＢ）で構成され、ＵＥはＭＳ（Mobile Station）、ＵＴ（User Terminal）、ＳＳ（Subscriber Station）、無線機器（wireless device）などを含む用語である。ｅＮＢ（または、セル（cell））はＵＥとの通信を実行する固定局（fixed station）であって、ノードＢ（NodeB）、ＢＴＳ（Base Transceiver System）、アクセスポイント（Access Point）などと呼ばれることができる。また、ｅＮＢはＣＤＭＡでのＢＳＣ（Base Station Controller）、ＷＣＤＭＡの無線ネットワーク制御器（ＲＮＣ）などがカバーする一部の領域を表す包括的な意味として解釈されるべきである。また、メガセル、マクロセル、マイクロセル、ピコセル、フェムトセル等、多様なセルのカバレッジ領域を含むことができる。
【００２１】
本明細書において、アップリンク転送及びダウンリンク転送は、互いに異なる時間を使用して転送されるＴＤＤ（Time Division Duplex）方式が使われることができ、または互いに異なる周波数を使用して転送されるＦＤＤ（Frequency Division Duplex）方式が使われることができる。
【００２２】
図１は、本発明に従って複数のコンポーネントキャリアをサポートする無線通信システムを示す図である。
【００２３】
図１を参照すると、ＬＴＥ／ＬＴＥＡシステムは、システム要求事項、即ち、高いデータ転送率を満たすための帯域幅（Bandwidth）を拡張するための方式であって、複数の単位搬送波であるコンポーネントキャリア（ＣＣ）の使用を定義している。ここで、１つのＣＣは最大２０ＭＨｚの帯域幅を有することができ、該当サービスによって２０ＭＨｚ以内で資源割当が可能であり、システムの構成によって２０ＭＨｚ以上の帯域幅をさらに有することができる。また、次世代の通信システムは、複数のＣＣを縛って１つのシステム帯域に使用するキャリア集合体（carrier aggregation：ＣＡ）の使用を定義することができる。一例として、本発明に係る無線通信システムは、２０ＭＨｚの最大帯域幅を有するコンポーネントキャリアの５個を使用する場合、最大１００ＭＨｚまで帯域幅を拡張してサービス品質をサポートすることができる。この際、各コンポーネントキャリアにより決定できる、即ち、割当可能な周波数帯域は、実際のＣＡのスケジューリングによって連続的（contiguous）、または、不連続的（noncontiguous）でありうる。ここで、任意のＣＣは、ＣＣ０、ＣＣ１のように指示されることができ、この際、各ＣＣに含まれる数字が該当ＣＣの順序または該当ＣＣの周波数帯域の位置と必ず一致するものではない。
【００２４】
一例として、無線通信システムは、ＣＣ１ １１０、ＣＣ２ １２０、ＣＣ３ １３０、ＣＣＮ １４０が構成されており、各々のＣＣはスケジューラによってアップリンク（Uplink：ＵＬ）またはダウンリンク（Downlink：ＤＬ）が相異するように割り当てられることもでき、または同一なＵＬとＤＬとが共に割り当てられて使われることもできる。
【００２５】
一方、無線通信環境では送信装置から転送された電波が受信装置に伝えられる間に、伝播遅延（propagation delay）を経るようになる。即ち、送信装置から転送される伝播時間を知っているとしても、受信装置で受信された信号の到着時間は、送受信機の間の距離、周辺伝播環境などにより影響を受けるようになる。また、受信装置が移動している場合、該当時間によって位置が変更されるので、伝播環境やはり変わることがある。したがって、受信装置での信号受信時点を正確に知らない場合、信号受信に失敗したり、または受信しても歪んだ信号を受信したりするようになって、通信不能になる。
【００２６】
したがって、無線通信システムでは、ｅＮＢとＵＥとの間の同期（Synchronization）が必ず先決されなければならない。このような同期獲得手続きは、通信システムで非常に重要な手続きであり、これはシステム安全性及び通信品質に大きい影響を及ぼすようになる。ここで、同期の種類は、フレーム同期、情報シンボル同期、サンプリング周期同期などがあり、上記サンプリング周期同期は、物理的信号を区分するために最も基本的に獲得すべき同期ということができる。
【００２７】
ダウンリンク転送における同期獲得は、ＵＥから受信されたｅＮＢの信号に基づいてなされる。ｅＮＢは、ＵＥでダウンリンク同期獲得が容易であるように相互約束された特定信号を転送し、ＵＥにはｅＮＢから送ってきた特定信号が転送された時間を正確に分別できなければならない。ダウンリンクの場合、１つのｅＮＢが複数のＵＥに同時に同一な同期信号を転送するので、各ＵＥは独立的にｅＮＢから受信された同期信号を通じてダウンリンク信号の同期を獲得することができる。
【００２８】
しかしながら、アップリンクの場合、複数のＵＥから個別的に送信された各々の信号をｅＮＢが受信するによって、任意のＵＥを基準に同期を獲得することができない。したがって、ダウンリンクと異なる同期獲得手続きが必要である。各ＵＥとｅＮＢとの間の距離が相異する場合、互いに異なる転送遅延時間を有するようになり、各々獲得したダウンリンク同期時点を基準にアップリンク情報を送信して、各ＵＥの情報が互いに異なる時間に該当ｅＮＢで受信されるようになる。
【００２９】
一方、ＯＦＤＭＡまたはＦＤＭＡに基づく無線通信システムでは、ｅＮＢでＵＥのアップリンク送信情報を同時に受信して復調する方式により運営されるので、ｅＮＢで各ＵＥ信号の受信時間の差が大きくなるほど受信性能は急激に劣化する。
【００３０】
図２は、本発明が適用される時間調整（Timing Advance；以下、‘ＴＡ’と称する）の概念を示す図である。
【００３１】
図２を参照すると、ＵＥは伝播遅延を考慮して、ダウンリンクフレームｉ ２１０より少し早く、アップリンクラジオフレームｉ ２２０を送信してｅＮＢの端末間の同期を合せる方式であるＴＡが適用できる。上記ＴＡを計算する数式を見ると、次の通りである。
【００３２】
【数１】
2013528968.tif 000003
【００３３】
ここで、ＮＴＡはｅＮＢからＴＡ命令情報によって制御される可変的な値であり、ＮＴＡｏｆｆｓｅｔはフレーム構造によって固定されて設定される値であり、Ｔｓはサンプリング周期を意味する。
【００３４】
したがって、ＵＥはｅＮＢで提供するＴＡを受信してｅＮＢとの無線通信のための同期を獲得する。
【００３５】
図３は、本発明が適用されるランダムアクセス過程を示す図である。
【００３６】
図３を参照すると、ＵＥ３８０はランダムアクセスを実行するために、プリアンブルシグネチャー（preamble signature）をランダム（random）に選択し、上記選択したプリアンブルをｅＮＢ３９０に送信する（Ｓ３１０）。上記プリアンブルシグネチャー選択は、競合ベース（contention based）として進行することができる。一方、ランダムアクセス過程は、非競合ベース（contention free）として進行する方式も使用することができるが、ｅＮＢは予め予約したランダムアクセスプリアンブルをＵＥに知らせて、該当ＵＥはｅＮＢから受信された情報によって選択したプリアンブルをｅＮＢ３９０に送信する（Ｓ３１０）。ここで、ＵＥ３８０はプリアンブル選択またはＲＡＣＨ転送のために、臨時に選択した周波数資源と転送時点で決まるＲＡＲＴＩ（Random Access Radio Network Temporary Identifier）を認知することができる。
【００３７】
ｅＮＢ３９０は、受信されたＵＥのプリアンブルに対してランダムアクセス応答（Random access response：ＲＡＲ）を実行するが、この際、物理ダウンリンクデータチャンネル（Physical downlink shared channel：ＰＤＳＣＨ）を介してＲＡＲメッセージを送信する。上記ＲＡＲメッセージは、ＵＥプリアンブルの識別情報、ｅＮＢの識別子（ＩＤ）、臨時ＣＲＮＴＩ（Temporary Cell Radio Network Temporary Identifier）、上記ＵＥプリアンブルを受信したタイムスロットに対する情報、そしてアップリンク同期化のための時間調整情報（ＴＡ）などを含むことができる。
【００３８】
したがって、ＵＥ３８０は上記ＲＡＲメッセージを通じてアップリンク同期化のための時間調整情報（ＴＡ）を受信して、ｅＮＢ３９０とのアップリンク同期化を実行することができる。
【００３９】
ＵＥ３８０は、ステップＳ３２０で受信したＴＡ情報を用いて、決まったスケジュール時点で転送（Scheduled transmission）を実行する（Ｓ３３０）。送信は物理アップリンクデータチャンネル（Physical uplink shared channel：ＰＵＳＣＨ）を介して実行され、ＨＡＲＱ（Hybrid Automatic Repeat reQuest）が実行されることもできる。上記ＰＵＳＣＨは、ＲＲＣ接続要求（RRC Connection Request）、トラッキング領域変更（Tracking Area update）、スケジューリング要求（Scheduling request）メッセージなどを含むことができる。上記メッセージのうちの１つは、臨時ＣＲＮＴＩ、ＣＲＮＴＩ（if the UE already has one）、またはＵＥ識別子情報などを含むことができる。
【００４０】
一方、複数のＵＥがｅＮＢ３９０にＲＡＰを試みることによって衝突（collision）が発生することがあるので、ｅＮＢ３９０は該当ＵＥにＣＲメッセージを送信する（Ｓ３４０）。上記ＣＲメッセージ（Contention resolution message）はＣＲＮＴＩまたはＵＥ識別子情報などを含むことができる。
【００４１】
ここに、上記ＣＲメッセージを受信したＵＥ３８０は、ｉ）受信したメッセージが自身のものであるかを確認してＡＣＫを送る、またはｉｉ）受信したメッセージが他のＵＥのものであるかを確認して応答データを送らないことがある。また、ｉｉｉ）ＵＥ３８０は上記ダウンリンク割当ができなかったり、メッセージをデコーディングできなかったりした場合、応答データを送らないこともある。
【００４２】
仮に、ステップＳ３２０で、ｅＮＢからのメッセージをデコーディングできなかったＵＥまたはｉｉ）の場合に該当するＵＥは、ｅＮＢから以前に受信したバックオフ（backoff）識別子とバックオフ（backoff）値を通じて待機時間を設定し、該当待機時間が経過した後、ステップＳ３１０をまた始める。上記待機時間は０と確保されたバックオフ（backoff）値（仮に、上記の値が確保されていない場合は、バックオフ（backoff）値を０に設定）との間の値のうち、一様分布（uniform distribution）確率関数により選択された値を有する。
【００４３】
本発明が適用される複数のコンポーネントキャリアを運営する無線通信システムでは、各ＣＣ間の中心周波数の位置が格段に離隔していたり、各ＣＣをサポートするネットワーク内の装置が同一でない場合、各ＣＣ間にＴＡの値は相異する可能性が高まる。また説明すれば、既存の単一ＣＣをサポートする無線通信システムにおける同期獲得方式をそのまま用いる場合、複数のＣＣに対するアップリンク同期を獲得することは困難になる。
【００４４】
一例として、仮にＵＥが、アップリンク同期基準が相異するＣＣに対して同一なアップリンク同期基準を通じて情報を転送する場合、転送誤りが発生する確率が非常に高まり、またこれを復旧するための時間及び資源浪費をもたらすことがある。このような場合、システムで要求されるアプリケーションに対するアップリンクＱｏＳ（Quality of Service）を満たすことが困難である。
【００４５】
また、単一ＵＥに対し、各ＣＣの特性及び無線ネットワーク内のサポート方式によってダウンリンクでの転送遅延時間が相異することがあり、これによって、各ＣＣまたは同一なＴＡ値を有するＣＣを集合として構成する場合、各ＣＣ集合別のアップリンク同期基準が相異するようになって、これによるアップリンク性能劣化が発生する。
【００４６】
また、複数のＣＣが任意のアップリンクタイミンググループにグルーピングされ、該当アップリンクタイミンググループ内の一部のＣＣのＴＡ値が有効でなくなって、ＴＡ値アップデートを必要とする状況の場合、全体アップリンクタイミンググループを再編成する必要が発生する。
【００４７】
したがって、本発明の一実施形態は、複数のＣＣが少なくとも１つ以上のアップリンクタイミンググループにグルーピングされている状態で、一部のＣＣのＴＡ値が有効でなくなって、ＴＡ値のアップデートを必要とする場合、アップデートを必要とする全てのＣＣ、または代表アップリンクＣＣのＲＡＰを転送するＲＡＰ転送方式を決定し、そのＲＡＰ転送方式によってアップデートを必要とする全てのＣＣまたは代表アップリンクＣＣのＲＡＰを同時に転送し、アップデートを必要とする全てのＣＣまたは代表アップリンクＣＣのＲＡＰを個別的に転送し、またはアップデートを必要とする全てのＣＣまたは代表アップリンクＣＣのＲＡＰのうち、一部は同時に、他の一部は個別的に転送するハイブリッド方式のＲＡＰ転送方法を提供する。
【００４８】
本発明の他の実施形態では、複数のＣＣが少なくとも１つ以上のアップリンクタイミンググループにグルーピングされている状態で、１つ以上のＣＣのＴＡ値が有効でなくなって、全体アップリンクタイミンググループを再編成する必要が発生する場合、ＴＡ獲得方式に従って全てのＣＣに対するＲＡＰを転送し、グルーピングが解除された特定グループ内に含まれる全てのＣＣのＲＡＰを転送し、または特定グループ内で有効性を確保していない特定ＣＣに対するＲＡＰのみを転送するハイブリッド方式を用いることができる。
【００４９】
図４乃至図８は本発明が適用できるアップリンク同期獲得手続きを示す図であって、ｅＮＢがＵＥに複数のＣＣに関連した情報を送信すれば、ＵＥがコンポーネントキャリアの各々に対してタイミングと関連したグループを設定し、各タイミンググループの代表コンポーネントキャリアを通じてＲＡＰを進行する過程を示す。
【００５０】
図４は、本発明の一実施形態が適用できるアップリンク同期を獲得する過程を示す図である。
【００５１】
図４を参照すると、接続された状態（RRC_CONNECTED）のＵＥの場合、ステップＳ４００を進行する。
【００５２】
仮に、ＩＤＬＥモードＵＥであるとか、ＲＲＣ再設定を必要とする場合、ＵＥは無線資源制御接続を進行するステップを先に実行する。ｅＮＢは、無線資源制御接続を進行する少なくとも１つ以上のコンポーネントキャリア（ＣＣ）を選択してコンポーネントキャリア集合（Component Carrier Set；以下、‘ＣＣセット’または‘CC Set’という）情報を構成してＵＥとの無線資源制御接続を進行する。
【００５３】
一方、無線資源制御接続を進行する少なくとも１つ以上のコンポーネントキャリアを選択するための方式は、以下のａ）条件のうちの１つを利用することができる。
【００５４】
ａ．ｉ）ＵＥは無線資源制御接続ＩＤＬＥ状態で適したセル（suitable cell）として選択したセルまたは測定（measurement）した情報に基づいて無線資源制御接続を試みる最も適したＣＣを選択することができる。
【００５５】
ａ．ｉｉ）ＵＥ内部メモリーに格納されているシステムで固定的に設定した情報を用いて無線資源制御接続を試みることができる。
【００５６】
ａ．ｉｉｉ）ｅＮＢでシステム情報（ＳＩ）を通じてＵＥに転送された情報を用いて無線資源制御接続を試みることができる。
【００５７】
ａ．iv）ＵＥ内部メモリーに格納されている有効なＣＣのＳＩを用いて該当ＣＣを通じて無線資源制御接続を試みることができる。
【００５８】
一例として、ＩＤＬＥモードＵＥは、無線資源制御接続のために上記の選択条件を基準に１つのダウンリンクコンポーネントキャリアを選択し、上記選択したコンポーネントキャリアを通じて転送される放送チャンネル（broadcasting channel）を介してＳＩを受信する。上記受信したＳＩに基づいて上記選択したダウンリンクＣＣと上記ダウンリンクＣＣと接続設定されているアップリンクＣＣを主サービングセル（primary serving cell；以下、ＰＣｅｌｌ）として構成する。上記構成されたＰＣｅｌｌを通じてＵＥはｅＮＢに無線資源制御接続要求メッセージを転送する。この際、ＵＥは上記ＲＡＣＨ手続きを用いて上記無線資源制御接続要求メッセージをｅＮＢに伝達することができる。
【００５９】
ここで、主サービングセル（ＰＣｅｌｌ）に対応するダウンリンクＣＣをＤＬ ＰＣＣといい、主サービングセルに対応するアップリンクＣＣをＵＬ ＰＣＣという。また、ダウンリンクで、副サービングセルに対応するＣＣをＤＬ ＳＣＣといい、アップリンクで副サービングセルに対応するＣＣをＵＬ ＳＣＣという。
【００６０】
一方、主サービングセル及び副サービングセルは、次のような特徴を有する。
【００６１】
第１に、主サービングセルはＰＵＣＣＨの転送のために使われる。
【００６２】
第２に、主サービングセルは常に活性化されている一方、副サービングセルは特定条件によって活性化／非活性化される搬送波である。
【００６３】
第３に、主サービングセルが無線リンク失敗（Radio Link Failure；以下、ＲＬＦ）を経験する時、ＲＲＣ再接続がトリガリング（triggering）されるが、副サービングセルがＲＬＦを経験する時はＲＲＣ再接続がトリガリングされない。
【００６４】
第４に、主サービングセルはセキュリティーキー（security key）の変更やＲＡＣＨ（Random Access CHannel）手続きに伴うハンドオーバー手続きによって変更できる。但し、ＭＳＧ４（contention resolution）の場合、ＭＳＧ４を指示するダウンリンク制御チャンネル（Physical Downlink Control Channel；以下、‘ＰＤＣＣＨ’と称する）のみ主サービングセルを通じて転送されなければならず、ＭＳＧ４情報は主サービングセルまたは副サービングセルを通じて転送できる。
【００６５】
第５に、ＮＡＳ（nonaccess stratum）情報は主サービングセルを通じて受信する。
【００６６】
第６に、いつも主サービングセルはＤＬ ＰＣＣとＵＬ ＰＣＣがペア（pair）で構成される。
【００６７】
第７に、各端末毎に異なるＣＣを主サービングセルに設定することができる。
【００６８】
第８に、副サービングセルの再設定（reconfiguration）、追加（adding）、及び除去（removal）のような手続きはＲＲＣ階層により実行できる。新規副サービングセルの追加において、専用（dedicated）の副サービングセルのシステム情報を転送することにＲＲＣシグナリングが使われることができる。
【００６９】
前述した方法のうちの１つを通じて無線資源制御接続進行が完了してｅＮＢとＵＥの無線資源制御接続状態が設定された状態（RRC_CONNECTEDモード）になると、Ｓ４００の手続きを進行する。
【００７０】
ｅＮＢは該当ＵＥのハードウェア性能、ｅＮＢの使用可能な周波数資源などを考慮してＵＥに複数のＣＣの使用を許容することができ、これをＣＣセットとして定義することができる。ここに、ｅＮＢはＵＥの使用するように許容されたＣＣセットに対する情報をＵＥに送信する（Ｓ４００）。ここで、上記ＣＣセットに対する情報は、上記ＣＣセットに含まれる該当ＣＣのＣＣ ＩＤ、または該当ＣＣを指示するセルインデックス情報、または少なくとも１つのＣＣを基準に他のＣＣを指示する差異情報（offset information）などを含むことができる。または、少なくとも１つ以上のＣＣで構成された各ＣＣセットを区別するためのＣＣセットＩＤ情報をさらに含むこともできる。
【００７１】
ここで、ＣＣセット情報の送受信方式は、一実施形態として、ｅＮＢが無線資源制御再構成メッセージの内に上記ＣＣセット情報を含んでＵＥに送信することもでき、その以外のメッセージが使われることもできる。また、上記ＣＣセット情報は、各コンポーネントキャリアの追加／除去のような形態に構成されて転送されることもできる。
【００７２】
例えば、最初にＣＣセット情報を転送するに当たって、ＤＬ ＣＣ１、ＤＬ ＣＣ２、ＤＬ ＣＣＮから構成されたＣＣセット情報であるダウンリンクＣＣ追加リスト（add List）が構成されることができ、追加的にアップリンクＣＣセット情報であるアップリンクＣＣ追加リスト（add List）が構成されることができる。
【００７３】
更に他の実施形態として、ＣＣセット情報を変更するに当たって、上記構成されたダウンリンクＣＣセットがＣＣ１、ＣＣ３、ＣＣＮに変更される場合、ダウンリンクＣＣ除去リスト（remove list）にＣＣ２を構成し、ダウンリンクＣＣ追加リストにＣＣ３を構成して、上記ダウンリンクＣＣセット情報を転送することができる。
【００７４】
その後、ＵＥは受信されたＣＣセット情報に基づいて該当ＣＣセット内のＣＣに対するシステム情報（system information；以下、‘ＳＩ’という）を受信する（Ｓ４０５）。上記ＳＩはＵＥでＴＡのためのアップリンクタイミンググループを構成するための新たな情報、ＳＩはダウンリンク／アップリンクＣＣ間の接続（linkage）設定に対する情報、及びＴＡ値の獲得のための参照アップリンクＣＣに対する情報をさらに含むこともできる。上記ＳＩは、各ＣＣに対する中心周波数情報、該当ＣＣの全体周波数帯域に対する情報などを含むことができる。
【００７５】
仮に、ＣＣセット内のＣＣのうち、該当ＣＣにＳＩを転送できないＣＣ（例えば、拡張コンポーネントキャリア（extension component carrier；以下、ＥＣＣ）、または放送チャンネルを介して転送されるＳＩを受信できないＣＣ（例えば、副サービングセル（Secondary serving cell；以下、ＳＣｅｌｌ）に属するダウンリンクＣＣ）が存在する場合、ＳＩを受信することができるＣＣまたは上記ＳＩを受信することができるＣＣの制御情報の形態に変換されたＳＩを、受信することができるＣＣを通じて受信することができる。上記変換されたＳＩは、ｅＮＢで転送する無線資源制御再構成メッセージの内に上記ＣＣセット情報と同時にＵＥに転送されることもでき、上記ＣＣセット情報が受信された以後、無線資源制御再構成メッセージを通じてＵＥに転送されることもできる。または、現在のステップでは、該当ＣＣに対するＳＩを受信しないで進行することができる。
【００７６】
ＵＥは、受信されたＣＣセット情報とＳＩを用いてアップリンクタイミンググループを構成し、グループ毎に代表ＣＣ（Delegate CC）を構成する（４１０）。
【００７７】
上記アップリンクタイミンググループを構成するに当たって、以下の１）乃至４）のｂ）条件のうちの１つを適用することができる。
【００７８】
ｂ．ｉ）ＣＣの中心周波数値の差がしきい値以上の範囲のＣＣは互いに異なるグループに設定することができる。
【００７９】
これは、各ＣＣ間の中心周波数値が大きく差が出る場合、無線信号の伝播過程で発生する遅延が変わり、これに従うＴＡ値も差が大きくなる可能性が高まるためである。上記しきい値は絶対周波数差値として定義されることもでき、または相対的な周波数差値として定義されることもできる。上記相対的な周波数差値とは、決まったＣＣの中心周波数に対して倍数（Ｎ＞１の場合）以上の差、またはＣＣ間の中心周波数差を定義する関数として表現することができる。
【００８０】
一例として、しきい値を中心周波数間の差が２倍以上の場合と定義する場合、ＣＣ１の中心周波数値が７００ＭＨｚであり、ＣＣ２の中心周波数値が２ＧＨｚと仮定すれば、上記２つのＣＣの中心周波数値は２倍以上の場合であるので、互いに異なるグループに設定することができる。
【００８１】
ｂ．ｉｉ）互いに異なるビームフォーミング（beam forming）になるＣＣは互いに異なるグループに設定することができる。
【００８２】
これは、ビームフォーミングが異なると、ＴＡ値が変わる可能性が高まるためである。
【００８３】
例えば、各ＣＣが互いに異なるアンテナにマッピングされて互いに異なるビームフォーミングを生成して該当ＣＣを通じて信号を転送する場合、上記相異するビームフォーミングを有するＣＣは異なるグループに設定することができる。または、全てのＣＣが同一なアンテナにマッピングされ、ｅＮＢが各ＣＣの周波数帯域に対する論理的ビームフォーミングを通じて各ＣＣ毎に互いに異なるビームフォーミングを生成することもできる。
【００８４】
ｂ．ｉｉｉ）マクロセル（Macro cell）でサービスしないＣＣやフェムトセル（femto cell）、ピコセル（pico cell）、マイクロセル（micro cell）、中継器（relay）、リピーター（repeater）、ＲＲＨ（redio remote head）などによりマクロセル（macro cell）と重畳した空間でサービスされるＣＣと、マクロセル（Macro cell）のみでサービスするＣＣを互いに異なるグループに設定することができる。
【００８５】
ｂ．iv）ＣＣ時間調整タイマー（Time Alignment timer）の動作に対して相異するように設定されたＣＣを互いに異なるグループに設定することができる。
【００８６】
ここで、相異するグループとは、該当ＣＣタイマーが相異するＴＡ値を適用して動作し、または実際のＣＣタイマーの動作自体が相異するものを含む。
【００８７】
ｂ．v）ｅＮＢによりＴＡ獲得のための参照ＤＬ ＣＣが互いに異なるように設定されているＣＣは、互いに異なるグループに設定することができる。
【００８８】
上記参照ＤＬ ＣＣは、ＲＲＣメッセージを通じてＵＥに転送できる。仮に、ＵＥが上記参照ＤＬ ＣＣに対するＲＲＣメッセージを受信していない場合は、主サービングセルのＤＬ ＣＣが参照ＤＬ ＣＣになることができる。仮に、上記１）乃至４）の条件によって主サービングセルのＤＬ ＣＣが互いに異なるグループでなければならない場合、該当ＣＣ内のＤＬ ＣＣ（ＳＩＢ２接続設定されている）が参照ＤＬ ＣＣになることができる。
【００８９】
一方、上記の全ての条件を満たさないＣＣは、グループ設定時、同一なグループに設定することができ、その他にも無線の伝播特性と所定の測定値などを考慮して１つのグループに設定し、または相異するグループに設定することができる。
【００９０】
一方、以下の条件を満たす場合は、１つのグループに設定することができる。
【００９１】
ｂ’．ｉ）コンポーネントキャリアの中心周波数値の差がしきい値以内の範囲のコンポーネントキャリアの間には伝播特性が類似することがあるので、１つのグループにすることができる。
【００９２】
ｂ’．ｉｉ）同一なビームフォーミングになるコンポーネントキャリア同士間で１つのグループにすることができる。
【００９３】
ｂ’．ｉｉｉ）同一な無線網内の装置で使われるコンポーネントキャリア同士間で１つのグループに設定することができる。
【００９４】
上記設定された各々のアップリンクタイミンググループで、ＵＥは各グループ内の代表ＣＣ搬送波（delegate CC）を設定する（４１０）。上記ＵＥで、各グループ内の代表ＣＣになることができるＣＣは、アップリンク同期獲得のためのＴＡ値の獲得手続きが可能なＣＣでなければならない。また、グループ内のＣＣの周波数特性により決まることができる。
【００９５】
例えば、最も低い中心周波数値を有するＣＣ、最も平均に近い中心周波数値を有するＣＣ、または最も高い中心周波数値を有するＣＣを代表ＣＣに設定することができる。または、周波数帯域によって代表ＣＣが設定されることもできる。または、ＲＬＭ動作が定義された副サービングセル（ＳＣＣ）または最も広い周波数帯域を有するＣＣに設定することができる。
【００９６】
本明細書で、ＣＣはＤＬ ＣＣまたはＤＬ ＣＣとＵＬ ＣＣとが全て含まれた概念として定義することができ、セル（Cell）と定義することができる。
【００９７】
言い換えると、セルは一定の地域に端末が認知することができる無線信号が到達できるＤＬ周波数資源（例えば、ＣＣ）だけでも定義されることができ、ｅＮＢから信号を受信することができるＤＬ周波数資源とＵＥによるｅＮＢに転送可能なＵＬ周波数資源のペア（pair）として定義できる。したがって、複数のＣＣを構成するＵＥは、即ち、複数のサービングセルを構成するということができる。
【００９８】
一方、サービングセルは、主サービングセルと副サービングセルとに区別され、ここで、主サービングセルはＲＲＣ接続（establishment）または再接続（reestablishment）状態で、セキュリティー入力（security input）とＮＡＳ移動情報（mobility information）を提供する１つのサービングセルを意味する。ＵＥの性能（capabilities）によって、少なくとも１つのセルが主サービングセルと共にサービングセルの集合を形成するように構成できるが、上記少なくとも１つのセルを副サービングセルという。
【００９９】
したがって、１つのＵＥに対して設定されたサービングセルの集合は、１つの主サービングセルだけで構成され、または１つの主サービングセルと少なくとも１つの副サービングセルから構成できる。主サービングセルの周波数内の隣接セル及び／又は副サービングセルの周波数内の隣接セルの各々は同一な搬送波周波数に属する。そして、主サービングセルと副サービングセルの周波数間の隣接セルは相異する搬送波周波数に属する。
【０１００】
一方、ＲＬＭ（Radio Link Monitoring）は、ＵＥがcell-specific reference（ＣＲＳ）信号に基づいてｅＮＢ間に設定されたサービングセルのダウンリンク品質を探知するためにダウンリンクの品質をモニターリングすることをいう。ＵＥは、測定されたＣＲＳと制御チャンネルのエネルギーの比で定義される予め決まったパラメータを用いて上記ダウンリンク品質を予測する。上記ＲＬＭは、次のような条件で設定できる。
【０１０１】
上記ＲＬＭを通じてダウンリンク品質を予測するために、ＰＤＣＣＨ／ＰＣＦＩＣＨ（physical control format indicator channel）が転送されるＲＥ（resource element単一ＯＦＤＭシンボル内の単一副搬送波）の受信エネルギーと上記ＣＲＳの平均ＲＥエネルギーとの比をｄＢ単位で表現した値を基準とする。
【０１０２】
上記予め決まったパラメータのうち、同期不一致（out of sync）を宣言する基準になるパラメータであるＱｏｕｔ値はＰＤＣＣＨ／ＰＣＦＩＣＨを転送するために設定されたパラメータと共にＰＣＦＩＣＨの誤りを考慮した仮想のＰＤＣＣＨ（DCI format 1A基盤）転送のＢＥＲ（block error rate）が１０％以上であると判断される値を基準に設定される。上記の値はＣＲＳが転送されるアンテナポートの個数によって他の値を有することができる。
【０１０３】
例えば、単一アンテナポートに限ってＣＲＳが転送される場合、Ｑｏｕｔ値に設定する上記ＰＤＣＣＨとＣＲＳとの間のエネルギーの比率は４ｄＢを基準とし、２つ以上のアンテナポートに対してＣＲＳが転送される場合、１ｄＢを基準とする。上記予め決まったパラメータのうち、同期回復または同期維持（insync）を宣言する基準になるパラメータであるＱｉｎ値は、上記Ｑｏｕｔの場合に比べて十分に大きい信頼性を有する値を基準に設定される。
【０１０４】
即ち、ＰＤＣＣＨ／ＰＣＦＩＣＨを転送するために設定されたパラメータと共に、ＰＣＦＩＣＨの誤りを考慮した仮想のＰＤＣＣＨ（DCI format 1C基盤）転送のＢＥＲ（block error rate）が２％以上であると判断される値を基準に設定される。上記の値はＣＲＳが転送されるアンテナポートの個数によって他の値を有することができる。
【０１０５】
例えば、単一アンテナポートに限ってＣＲＳが転送される場合、Ｑｉｎ値に設定する上記ＰＤＣＣＨとＣＲＳとの間のエネルギーの比率は０ｄＢを基準とし、２つ以上のアンテナポートに対してＣＲＳが転送される場合、３ｄＢを基準とする。
【０１０６】
上記の例において、Ｑｏｕｔ値に比べてＱｉｎ値の基準となるエネルギー比率の値がむしろ低い理由は、前述したＰＤＣＣＨ／ＰＣＦＩＣＨを転送するために設定されたパラメータと仮想のＰＤＣＣＨ転送のＢＥＲを基準とするためである。上記ＰＤＣＣＨ／ＰＣＦＩＣＨを転送するために設定されたパラメータはＰＤＣＣＨのＤＣＩフォーマット、サブフレーム内の制御情報が転送されるＯＦＤＭシンボルの個数、ＰＤＣＣＨの自己複製比率を表す集成水準（aggregation level）などが含まれる。上記パラメータはダウンリンク帯域幅に影響を受ける。また、Ｑｏｕｔ及びＱｉｎ値は、該当セルに対する端末機のＤＲＸ（discontinuous reception）動作するか否かによって影響を受ける。
【０１０７】
したがって、ＵＥまたはｅＮＢは各グループ内の代表コンポーネントキャリア（delegate CC）を設定し、上記代表コンポーネントキャリア設定は、上記代表コンポーネントキャリアが含まれている副サービングセルを設定する形態でありうる。
【０１０８】
一方、各グループ別の代表ＣＣの設定方法は、上記方法のうちの１つを選択して全て同一な基準に設定することもでき、各グループ別に異なる方法を適用することもできる。即ち、代表ＣＣの選択は、各グループのネットワーク状態、グループを構成するＣＣの特徴などを考慮して選択することができる。一例として、ＵＥはＰＣＣが含まれたグループで代表ＣＣを設定する場合、ｅＮＢの基準に関わらずＰＣＣをグループ内の代表ＣＣとして設定することができる。
【０１０９】
ＵＥは、アップリンクタイミンググループ内の代表ＣＣの有効なＴＡ値を確保するために、各代表アップリンクＣＣに対してランダムアクセスプリアンブル（ＲＡＰ）を設定し、各代表ＣＣのＳＩにランダム接続のために設定された時間／周波数資源のうちから定義された資源のうちの１つを選択して該当ＲＡＰ信号を転送する（４１５）。ここで、ＵＥの上記ＲＡＰ信号の転送は、ｅＮＢまたはＵＥによって決まることができる。
【０１１０】
より詳しくは、ｅＮＢによりＲＡＰを転送するＣＣに対する情報（一例として、ＣＣのＲＡＣＨ転送の優先順位）が決定されれば、ＵＥは上記ＣＣに対する情報を受信して確認し、上記ＣＣに対して設定されたグループを確認する。確認されたグループのうち、優先順位の高いＣＣを含むグループの代表アップリンクＣＣを通じてＲＡＰを転送することができる。この際、ＵＥは上記ＲＡＰを転送するＣＣに対してランダムに、または同時に／順次的にＲＡＰを転送することができる。
【０１１１】
即ち、ＵＥがＲＡＰを転送する代表アップリンクＣＣを選択し、ランダムに、または順次的に／同時にＲＡＰを転送することができる。ＲＡＰを同時に転送することはＣＣのＲＡＣＨ転送の優先順位が同一であること、即ち同一な優先順位を有することを意味する。
【０１１２】
ここで、ＵＥはアップデートを必要とする全てのＣＣまたは代表アップリンクＣＣのＲＡＰを同時に転送したり、アップデートを必要とする全てのＣＣまたは代表アップリンクＣＣのＲＡＰを個別的に転送したり、またはアップデートを必要とする全てのＣＣまたは代表アップリンクＣＣのＲＡＰのうち、一部は同時に、他の一部は個別的に転送することができる。
【０１１３】
また、ｅＮＢはＲＡＰ、またはＲＡＰを含む信号を転送する時間／周波数資源を決定することができる。したがって、ＵＥはｅＮＢから受信した情報によりＲＡＰを設定し、ＲＡＰ転送時間／周波数資源を代表アップリンクＣＣ毎に設定することができる。
【０１１４】
一方、ｅＮＢからＲＡＰのための特別なシグナリングがない場合、またはｅＮＢの制御モードがオフ（off）のシグナリングが受信された場合、ＵＥはランダム接続のために各代表アップリンクＣＣと接続設定されているダウンリンクＣＣを通じて受信したＳＩに設定されている各代表アップリンクＣＣのパラメータを用いてＲＡＰ設定及びＲＡＰ転送時間／周波数資源を決める。
【０１１５】
上記ＲＡＰ転送設定は、ｅＮＢが特定ＵＥまたは複数のＵＥに関して代表アップリンクＣＣ毎にＲＡＰ設定範囲またはＲＡＰ転送時間／周波数資源の選択範囲に追加的な制限のある形態であることもあり、または、直接、代表アップリンクＣＣ毎に転送するＲＡＰを設定することもできる。
【０１１６】
ＵＥは各代表アップリンクＣＣのＲＡＰ信号を転送する時間／周波数資源を選択するためにアップリンクでデータを転送するＣＣを選択し、該当ＣＣが含まれたグループに限り、代表アップリンクＣＣを通じてＲＡＰを転送することができる。
【０１１７】
一方、ＵＥは現在アップリンクでデータを転送するために構成された全てのアップリンクＣＣが必要であると判断される場合、全ての代表アップリンクＣＣに対して同時にＲＡＰを転送することができる。一方、一部アップリンクＣＣが必要であると判断する場合、一部アップリンクＣＣが含まれたグループに限って代表アップリンクＣＣを通じてＲＡＰを同時に転送し、残りのグループに対する代表アップリンクＣＣのＲＡＰは順次に、またはランダムに転送してＴＡ値の獲得手続きを進行することができる。
【０１１８】
より詳しくは、ＵＥがｅＮＢからＲＡＰを転送するアップリンクＣＣの優先順位情報を受信し、上記受信された優先順位情報に基づいて順次にＲＡＰを転送することができる。または、ＵＥがＰＣＣを通じてＲＡＰを転送するアップリンクＣＣの優先順位を設定した基準情報を受信することができる。この場合、ＵＥは上記基準情報によって４０５で受信した各アップリンクＣＣのＳＩを用いてＲＡＰを転送する代表アップリンクＣＣの優先順位を決定することができる。
【０１１９】
上記優先順位を設定する基準情報は、媒体アクセス制御（Media Access Control；以下、‘ＭＡＣ’と称する）情報として受信することもできる。この際、上記ＭＡＣ制御情報はＰＤＳＣＨを介して受信可能であり、またはＰＤＣＣＨを介して受信可能である。また、上記優先順位を設定する基準情報は、ＲＲＣメッセージを通じて受信することができる。上記ＲＲＣメッセージはＰＤＳＣＨを介して受信されることを含む。ここで、上記基準情報は、一例として、帯域幅（ＢＷ）でありうるが、それに限定されるものではない。
【０１２０】
したがって、ＵＥはＳＣＣに対して上記帯域幅を適用して優先順位を設定してＲＡＰを転送することができる。この際、ＵＥは上記基準情報と関係なくＰＣＣに対して優先順位を最も高く設定してＰＣＣが含まれたグループ内の代表ＣＣを通じてＲＡＰを転送することができる。
【０１２１】
一方、仮に上記基準情報がＵＥとｅＮＢとの間に予め約束されていれば、ＵＥはｅＮＢから特別なシグナリング無しでＲＡＰを転送するＣＣの優先順位を決定することができる。一例として、ＵＥがＲＡＰを転送するＳＣＣが２つ以上の場合、帯域幅の広いＣＣに優先順位を置いてＲＡＰを転送することができる。
【０１２２】
一方、ＵＥはｅＮＢから各ＣＣのＳＩを受信した後、ランダムにグループ内の代表アップリンクＣＣを選択してＲＡＰを転送することができる。なぜならば、上記各ＣＣのＳＩにはＲＡＣＨのためのプリアンブル（ＲＡＰ）情報と、時間周波数資源に対する情報が含まれているためである。したがって、ＵＥは各グループ内の代表アップリンクＣＣに対するプリアンブル（ＲＡＰ）と時間周波数資源に対する情報を確認して任意に特定プリアンブルと時間周波数資源を選択した後、選択したグループ内の代表アップリンクＣＣでＲＡＣＨを実行する。
【０１２３】
一方、仮にＵＥがハンドオーバーを進行している場合、ＵＥはｅＮＢにより設定されたＲＡＰを使用し、既存の設定されたアップリンクタイミンググループを無視し、ＴＡ値を獲得する１つのアップリンクＣＣを設定して、これを通じて最初のＴＡ値獲得手続きを進行する。
【０１２４】
ここで、上記アップリンクＣＣの選択は、ＵＥで測定されたｅＮＢ間のダウンリンクＣＣのチャンネル品質または信号強さなどを考慮して接続設定されたアップリンクＣＣになることができる。または、ＵＥがｅＮＢから転送された移動制御情報（Mobility control information）またはＲＲＣ再構成メッセージ内の情報を通じて上記アップリンクＣＣを選択することができる。
【０１２５】
一方、ＴＡ値を獲得するための手続きを進行するために、単一アップリンクＣＣに対してＴＡ値の測定のために基準になるダウンリンク／アップリンクＣＣ間の接続（linkage）設定は、全体システムで固定的に設定したり、ｅＮＢ毎に設定したり、ｅＮＢで必要により設定したユーザグループ別に設定したりすることができる。
【０１２６】
仮に、アップリンクコンポーネントキャリアと接続設定されたダウンリンクコンポーネントキャリアがＴＡ値の設定を受けるための手続きを実行できない場合、またはダウンリンクコンポーネントキャリアがＴＡ値の設定を受けるための手続きを実行することができるか否かに関わらず、接続設定されたアップリンクコンポーネントキャリアがＴＡ値の設定を受けるための手続きを実行できない場合、下記のｃ）条件のうちの１つを選択してＴＡ値獲得手続きを進行できるダウンリンクコンポーネントキャリアと接続設定されたアップリンクコンポーネントキャリアで獲得したＴＡ値を常に共有するように設定することができる。ここで、前述したＴＡ値の設定を受けるための手続きを実行できない場合は、一例として、該当ＣＣのタイプがＥＣＣ、または非互換ＣＣのうちの同期獲得が不可能なＣＣでありうる。
【０１２７】
ｃ．ｉ）システムに固定的にＴＡ値を参照するアップリンクコンポーネントキャリアを設定する。
ｃ．ｉｉ）各ｅＮＢ内の全てのユーザに同一なＴＡ値を参照するアップリンクコンポーネントキャリアを設定する。
ｃ．ｉｉｉ）ユーザまたはユーザグループ毎に流動的にＴＡ値を参照するアップリンクコンポーネントキャリアを設定する。
【０１２８】
ｅＮＢは受信したＲＡＰに基づいて各ＣＣのＴＡ値を計算する。そして、計算した各ＣＣのＴＡ値をランダムアクセス応答（Random Access Responses；以下、‘ＲＡＲ’と称する）に含んでＵＥに転送する（Ｓ４２０）。この際、ｅＮＢはＵＥのアップリンク割当情報（以下、‘ＵＬグラント’と称する）をさらに含んで転送することができる。
【０１２９】
上記ＵＬグラントは、ＵＥによりアップリンクで使用することができる資源情報、電力制御情報、参照信号生成関連情報（Reference Signal generation info）、チャンネル品質情報フィードバック要求（CQI request）を含むことができるが、それに限定されるものではない。
【０１３０】
ＵＥは受信されたＲＡＲ内の各ＣＣのＴＡ値を確認し、受信したＴＡ値の有効性を判断する（４２５）。即ち、ＵＥはＣＲ手続きを通じて受信したＴＡ値の有効性を確認する。ここで、ＣＲ手続きは、ＵＥがＣＲＮＴＩ、Ｔ＿ＣＲＮＴＩ、またはＵＥ ＩＤ（identity;ＩＤ）を含むＭＡＣシグナリング、またはＲＲＣメッセージをｅＮＢに転送する過程を意味する。ｅＮＢは、ＣＲＮＴＩ、Ｔ＿ＣＲＮＴＩ、またはＵＥ ＩＤを含むＡＣＫメッセージをＵＥに転送する。その後、ＵＥはｅＮＢから受信されたＡＣＫメッセージに含まれているＣＲＮＴＩ、Ｔ＿ＣＲＮＴＩ、またはＵＥ ＩＤが自身に割り当てられたＣＲＮＴＩ、Ｔ＿ＣＲＮＴＩ、またはＵＥ ＩＤ（identity）と同一か否かを確認して、上記受信されたＴＡの有効性を同時に検証することができる。
【０１３１】
その結果、受信したＴＡ値が有効であると判断する場合、該当ＣＣが代表ＣＣに設定されている各アップリンクタイミンググループ内のＴＡ値をアップデートする（４３０）。
【０１３２】
図５は、本発明の一実施形態が適用できるアップリンク同期獲得手続きの他の例を示す図である。図５は、ＵＥがアップリンクタイミンググループを設定し、各グループ毎にＴＡ値を受信してアップデートを完了した以後の同期獲得手続きを含む。
【０１３３】
ｅＮＢは、該当ＵＥのハードウェア性能、ｅＮＢの使用可能な周波数資源などを考慮してＵＥのＣＣセット情報を構成した後、ＵＥに転送する（４００）。上記の手続きはｅＮＢとＵＥのＲＲＣ接続状態が接続モード（RRC_Connected）の場合のみで可能である。
【０１３４】
その後、ＵＥは受信されたＣＣ集合情報に基づいて集合内のＣＣのシステム情報（ＳＩ）を受信する（Ｓ４０５）。上記ＳＩは、ＵＥでＴＡのためのアップリンクタイミンググループを構成するための新たな情報が含まれることもできる。好ましくは、ダウンリンク／アップリンクＣＣ間の接続（linkage）設定方法になることもでき、ＴＡを獲得できる手続きを実行できないアップリンクＣＣのＴＡ値獲得のための参照アップリンクＣＣに対する情報であることもあり、その以外の情報になることもできる。上記ステップ４０５は、図４のステップ４０５に説明した条件及び構成を含む。
【０１３５】
この際、既存のＴＡ値が有効でなくなる状況が発生し、または新たなアップリンクＣＣが追加される場合のように、アップリンクタイミンググループの再編成無しで特定のＣＣまたはＣＣグループのＴＡ値のアップデートを必要とする場合が発生する場合、ＵＥはＴＡ値のアップデートが必要であることを感知する（４３５）。ＵＥは既存のアップリンクタイミンググループを維持しながら、全体または一部グループに対するアップリンク同期獲得が必要な状況、即ち‘ＴＡアップデート条件’を確認する（４３５）。
【０１３６】
上記‘ＴＡアップデート条件’は、例えば、ｅＮＢがＵＥに全てのダウンリンクＣＣに対して同期再設定を要求する場合と、ＵＥが全てのアップリンクデータの転送を初期化し再試行する場合と、ＵＥ専用時間調整タイマー（Time Alignment timer UE Specific）が満了した場合と、または、グループ毎に設定したグループ別の時間調整タイマーが満了した場合を含むことができる。ここで、グループ時間調整タイマーを設定することは、同一グループ内に複数個のＣＣが存在し、ＣＣ毎にタイムアライメントタイマーを有する場合、代表ＣＣのＣＣタイムアライメントタイマーの動作を上記同一グループ内の全ての他のＣＣのタイマーに適用することを意味する。
【０１３７】
一方、上記‘ＴＡアップデート条件’の状況は、新たなアップリンクＣＣが追加構成される場合を含むことができる。ここで、新しく追加されたアップリンクＣＣは既存のグループに含まれ、または新たなグループとして存在することができる。
【０１３８】
上記ＴＡアップデートが必要であることを感知したＵＥは、代表ＣＣのＲＡＣＨパラメータを通じて任意のプリアンブル（ＲＡＰ）を選択し、各ＣＣのＳＩに定義された資源のうちの１つを選択してＲＡＰを転送する（４４０）。ここで、該当ＲＡＰ信号の転送は、ｅＮＢにより設定された各ＣＣの時間／周波数資源を用いて、ＵＥにより全ての代表アップリンクＣＣのＲＡＰを同時に転送する、全ての代表アップリンクＣＣのＲＡＰを順次にまたはランダムに個別転送する、または全ての代表アップリンクＣＣのＲＡＰのうちの一部は同時に他の一部はランダムまたは順次に個別転送することができる。
【０１３９】
より詳しくは、ＵＥが同時に全てのアップリンクタイミンググループの代表ＣＣを通じてＲＡＰを転送する場合は、全てのアップリンクＣＣを通じてデータを転送する途中に全てのＣＣの既存ＴＡ値が有効でなくなった場合を含むことができる。
【０１４０】
また、ＵＥが一部はランダムに、または順次にＲＡＰを転送し、一部は同時にＲＡＰを転送する場合は、一部アップリンクＣＣを通じてデータを転送する中に全ての既存のＴＡ値が有効でなくなった場合を含み、この時には必要時にデータを転送していたアップリンクＣＣに対して同時にＲＡＰを転送し、その以外のアップリンクＣＣはｅＮＢまたはＵＥによりＲＡＰを転送する時間／周波数資源を選択して転送する場合である。一部アップリンクＣＣを通じてデータを転送する場合は、優先順位を置いてＴＡを獲得するものである。
【０１４１】
一方、アップリンクで転送しようとするデータがない、または遅延時間に対して問題にならないデータの場合、ｅＮＢにより決まった、またはＵＥにより選択されたＲＡＰを転送する時間／周波数資源を選択して転送する。即ち、転送するデータがない場合であって、ＵＥによりランダムにＴＡを獲得するものである。またはｅＮＢにより決まった順序に従ってＴＡを獲得するものである。
【０１４２】
また、順次にＲＡＰを転送する場合は、各グループ内のＣＣの個数により優先順位が決まった後に転送できる。例えば、グループ内のＣＣの個数が多い順に順位を決めることもでき、個数の少ない順に順位を決めることもできる。また、グループ内のＣＣの代表ＣＣの中心周波数、または周波数帯域幅のサイズなどを考慮して順位を決めることもできる。また、各ＣＣのサービングセルインデックス値が最も低い順序に、または最も高い順序に順位を決めることもできる。
【０１４３】
ｅＮＢはＵＥから受信したＲＡＰに対して各ＣＣのＴＡ値を計算し、上記各ＣＣのＴＡ値とＵＬグラントを含むＲＡＲを転送する（４４５）。
【０１４４】
ＵＥは、ＣＲ（contention resolution）手続きを通じた有効性の検証を経て（４５０）各ＣＣに対するＴＡ値を獲得した後（４５０）、アップデートされたＴＡ値をアップリンクタイミンググループに適用する（４５５）。
【０１４５】
上記ＴＡ値を獲得するための手続きを進行するために、単一アップリンクＣＣに対してＴＡ値の測定のために基準となるダウンリンク／アップリンクＣＣ間の接続（linkage）設定方法は、上記図４に説明した方法と類似している。
【０１４６】
この際、 仮にＵＥが代表ＣＣによりＴＡ値を獲得した状況の場合、ＵＥは各アップリンクタイミンググループ内のＣＣに獲得したＴＡ値を同時に適用することができる。
【０１４７】
アップデートされたＴＡ値をアップリンクタイミンググループに適用（４５５）する時には、単に１つ以上のアップリンクタイミンググループのＴＡがアップデートされた場合には、それを新たなＴＡ値に更新すればよい。
【０１４８】
一方、‘ＴＡアップデート条件’として新たなアップリンクＣＣが追加構成された状況の場合には、該当追加構成ＣＣのＴＡ値の該当追加構成ＣＣのみに適用され、該当ＣＣのＴＡ値を既存アップリンクタイミンググループのＴＡ値と比較してしきい値以下と判断されるグループが存在する場合、ＵＥはグループを再設定する。即ち、獲得したＴＡ値と該当ＣＣのＴＡ値の差が決まったしきい値の内に存在する場合、これを該当グループに設定し、そうでない場合、新たなグループに設定することができる。
【０１４９】
または、ｅＮＢがＵＥに新たな副サービングセル（または、ＣＣ）をアップリンクＣＣと追加構成しながらＴＡ獲得のための参照ＤＬ ＣＣ情報を含んで構成することができる。したがって、ＵＥは上記参照ＤＬ ＣＣを基準とするグループに上記新たな副サービングセル（または、アップリンクＣＣのみを）を追加することができる。仮に上記新たな副サービングセルに対する構成情報のうち、参照ＤＬ ＣＣ情報が存在しない場合、主サービングセルが属したグループに含まれることができる。
【０１５０】
図６は、本発明の一実施形態が適用できるアップリンク同期獲得手続きの更に他の例を示す図である。図６は、ＵＥがアップリンクタイミンググループを設定し、グループ毎にＴＡ値を受信してアップデートを完了した以後であり、特別な言及がなければ、本手続きはハンドオーバーが進行されない場合を仮定する。
【０１５１】
図６を参照すると、ｅＮＢは該当ＵＥのハードウェア性能、ｅＮＢの使用可能な周波数資源などを考慮してＵＥのＣＣセット情報を構成して転送する（４００）。
【０１５２】
ＵＥは受信されたＣＣセット情報に基づいて集合内のＣＣのシステム情報（ＳＩ）を受信する（Ｓ４０５）。上記ＳＩはＵＥでＴＡのためのアップリンクタイミンググループを構成するための新たな情報が含まれることもできる。好ましくは、ダウンリンク／アップリンクＣＣ間の接続（linkage）設定方法になることもでき、ＴＡを獲得できる手続きを実行できないアップリンクＣＣのＴＡ値の獲得のための参照アップリンクＣＣに対する情報、またはその以外の情報になることもできる。ここで、上記ステップ４０５は図４のステップ４０５に説明した条件及び構成を含む。
【０１５３】
この際、アップリンクタイミンググループ内のＣＣのうち、一部のＣＣに対して既存のＴＡ値が有効でなくなる状況のように、既存のアップリンクタイミンググループを再設定または再編成しなければならない状況が発生する場合、ＵＥは既存のアップリンクタイミンググループを再設定しながら全体または一部のＣＣに対するアップリンク同期獲得が必要な状況が発生することを感知するようになる（４６０）。
【０１５４】
このような状況を本明細書では‘グループ再編成条件’といい、ＵＥは‘グループ再編成条件’か否かを確認することによって、アップリンクタイミンググループの再編成を必要とする状況を感知するようになる（４６０）。
【０１５５】
上記‘グループ再編成条件’は、例えば、ＵＥのグループ内のＣＣのうち、一部のアップリンクＣＣに対してアップリンク転送データに対する応答がない場合、ｅＮＢがダウンリンク同期に対するグループ内の一部ＣＣに対して再設定を要求する場合、ＣＣ毎に設定したＣＣ時間調整タイマー（Time Alignment timer）が満了した場合、ｅＮＢ内のダウンリンク／アップリンク接続設定が変更される場合、またはアップリンクタイミンググループ変更及びグループ内のダウンリンク／アップリンク接続設定が変更される場合などがある。上記‘グループ再編成条件’はこれに限定されるものではなく、アップリンクタイミンググループをまた設定しなければならない全ての場合を含む概念である。また、上記グループ再編成はＣＣ単位で同期再設定するものを含む。
【０１５６】
一方、仮にＵＥが物理的に異なるｅＮＢに一部のＣＣがハンドオーバーする場合、ＵＥは既存のアップリンクタイミンググループを再設定しながらハンドオーバーされた一部のＣＣに対するアップリンク同期獲得が必要な状況と判断する。
【０１５７】
上記‘グループ再編成条件’に該当する状況（situation、４６０）によって一部のＣＣに対する有効なＴＡ値を確保していないアップリンクタイミンググループに対し、ＵＥは各グループ内の全てのアップリンクＣＣに対するグループ設定を解除し、上記ＣＣに対して同時にＲＡＰを転送することができる。また、ＵＥは有効なＴＡ値を確保したアップリンクタイミンググループ内のＣＣに対してグループ設定を維持し、上記各グループ内で有効なＴＡ値を確保していないアップリンクＣＣのみグループ設定を解除した後、上記グループ設定を解除した有効なＴＡ値を確保していないアップリンクＣＣに対してＲＡＰを同時に転送することもできる。
【０１５８】
仮に、各ＣＣ別のランダム接続のための資源設定が相異することによって、同時にＲＡＰを転送できない場合、ＵＥはこのような状況発生を認知した後、最も速く転送できる時間資源を優先的に選択してＲＡＰを転送することができる（Ｓ４６５）。
【０１５９】
上記ＲＡＰ信号の転送は、図５の場合と同様に、転送を必要とする全ての代表アップリンクＣＣのＲＡＰを同時に転送したり、転送を必要とする全ての代表アップリンクＣＣのＲＡＰを順次に、またはランダムに個別転送したり、または転送を必要とする全ての代表アップリンクＣＣのＲＡＰのうちの一部は同時に、残りの一部は順次に、またはランダムに個別転送することができる。
【０１６０】
ｅＮＢは、ＵＥから受信したＲＡＰに対して各ＣＣのＴＡ値を計算し、ＲＡＲを転送する（４４５）。この際、ｅＮＢはＵＥのグラント（grant）情報をさらに含む。
【０１６１】
そして、ＵＥはＣＲ（contention resolution）手続きを通じて有効性の検証を実行した後、各ＣＣに対するＴＡ値を獲得する（４７０）。ここで、上記ＴＡ値を獲得するための手続きは、図４に言及した単一アップリンクＣＣに対してＴＡ値の測定のために基準になるダウンリンク／アップリンクＣＣ間の接続（linkage）設定が適用できる。その後、ＵＥはＴＡと関連したタイミンググループを再構成することができる（４８０）。
【０１６２】
ＵＥのタイミンググループ再構成過程（４８０）で、仮にＴＡ値の更新が要求されたアップリンクＣＣに対して有効なＴＡ値を獲得した状況で、各グループ内の全てのアップリンクＣＣに対するグループ設定を解除した場合、該当ＣＣのＴＡ値を既存のアップリンクタイミンググループのＴＡ値と比較して、しきい値以下と判断されるグループを該当同一なグループに設定し、そうでない場合、新たなグループに設定する。
【０１６３】
また、仮に有効なＴＡ値を確保したアップリンクタイミンググループ内のＣＣはグループ設定を維持し、上記各グループ内で有効なＴＡ値を確保していないアップリンクＣＣのみグループ設定を解除した場合、ＵＥは該当ＣＣのＴＡ値を既存のアップリンクタイミンググループのＴＡ値と比較して、しきい値以下と判断されるグループを該当グループに設定し、そうでない場合、新たなグループに設定する。また、仮に全てのアップリンクタイミンググループが解除された場合、ＵＥはＴＡ値を基準に新たなグループを設定する。
【０１６４】
図７は、本発明の一実施形態が適用できるアップリンク同期獲得手続きを示す図である。
【０１６５】
図７を参照すると、ｅＮＢは該当ＵＥのハードウェア性能、ｅＮＢの使用可能な周波数資源などを考慮して設定したＵＥのＣＣセット情報をＵＥに転送する（５００）。
【０１６６】
ｅＮＢは、上記設定したＣＣ集合情報に基づいて集合内のＣＣのＳＩをＵＥに転送する（５０５）。即ち、ｅＮＢは上記ＵＥのために予め予約したＲＡＰを割り当て、または特定時間／周波数資源を単一ＵＥのみに割り当てて、これをＳＩを通じて該当ＵＥに転送する。または、ＲＲＣメッセージを通じて転送する（５０５）。
【０１６７】
ここに、ＵＥはアップリンクＣＣの有効なＴＡ値を確保するために、各アップリンクＣＣに対してＲＡＰを設定し、各ＣＣのＳＩにランダム接続のために設定された時間／周波数資源のうちから定義された資源のうちの１つを選択して該当ＲＡＰ信号を転送する（５１０）。
【０１６８】
例えば、ＵＥが使用するＲＡＰを設定し、これを各ＵＥに知らせる。この際、ｅＮＢは上記ＲＡＰの有効性に対する情報、使用回数などを知らせることができる。また、ｅＮＢは、最初のアップリンクグループ設定時に使用する時間／周波数資源を別途に設定し、これを各ＵＥに知らせることができ、この際、ｅＮＢは上記設定された時間／周波数資源の有効性に対する情報、使用回数などを知らせることができる。ここで、上記ＲＡＰ及び時間／周波数資源の有効性に対する情報、使用回数はＵＥとｅＮＢとの間に予め決まったルールに従って使われることができる。
【０１６９】
また、ｅＮＢが指定したＲＡＰまたは時間／周波数資源を通じて単一ＵＥからＵＥ ＣＣ集合内の全てのＣＣに対するＲＡＰを受信する場合、ｅＮＢはＵＥから最初のアップリンクタイミンググループ設定が要求されることを認知し、算出されたＴＡ値を基準にアップリンクタイミンググループを構成することができる。
【０１７０】
したがって、ｅＮＢは受信したＲＡＰに基づいて各ＣＣから受信したＲＡＰが単一ＵＥから転送された信号であることを確認し、即ち、特定時間／周波数資源を通じてＲＡＰが受信されることを確認し、これを基準としてアップリンクタイミンググループを設定する（５１５）。また、ｅＮＢはＴＡ値を基準にアップリンクタイミンググループに対する代表ＣＣを設定する（５１５）。
【０１７１】
また、ｅＮＢのアップリンクタイミンググループの設定時、図４のステップ４１０で説明したような方式が利用されることもできる。
【０１７２】
ｅＮＢは、上記構成したアップリンクタイミンググループ情報をＵＥに転送する（５２０）。上記アップリンクタイミンググループ情報は、ＰＤＣＣＨのようなＬ１制御情報の形態で転送されることができ、またはＭＡＣのようなＬ２制御情報の形態で、またはＲＲＣのようなＬ３制御情報の形態で転送される。
【０１７３】
ｅＮＢは、各グループの代表ＣＣに対するＴＡ値をＲＡＲに含んでＵＥに転送する（５２５）。この際、各代表ＣＣに対して同時にＴＡ値を転送することができる。ここに、ＵＥはＲＡＲが受信されるダウンリンクＣＣと接続設定されたアップリンクＣＣを代表ＣＣに設定されることを認知し、上記受信したＲＡＲ内に含まれた情報を受信する。
【０１７４】
その後、ｅＮＢとＵＥは有効性検証手続きを実行し（５３０）、ＵＥはグループ内の他のアップリンクＣＣに受信されたＴＡ値を適用する（５３５）。ここに、ＵＥはＴＡ値を適用してｅＮＢとのアップリンク同期を獲得する。
【０１７５】
図８は、本発明の一実施形態が適用できるアップリンク同期獲得手続きの更に他の例を示す図である。図８は、ＵＥがアップリンクタイミンググループを設定し、各グループ毎にＴＡ値を受信してアップデートを完了した以後に実行できる。
【０１７６】
ｅＮＢは、該当ＵＥのハードウェア性能、ｅＮＢの使用可能な周波数資源などを考慮して設定したＵＥのＣＣセット情報をＵＥに転送する（５００）。ｅＮＢは、上記設定したＣＣ集合情報に基づいて集合内のＣＣのＳＩをＵＥに転送する（５０５）。即ち、ｅＮＢは上記ＵＥのために予め予約したＲＡＰを割り当て、または特定時間／周波数資源を単一ＵＥのみに割り当てて、これを、ＳＩを通じて該当ＵＥに転送する。または、ＲＲＣメッセージを通じて転送する（５０５）。
【０１７７】
その後、この際、アップリンクタイミンググループ内のＣＣのうちの一部のＣＣに対し、既存のＴＡ値が有効でなくなる状況のように、既存のアップリンクタイミンググループを再設定または再編成しなければならない状況が発生する場合、ＵＥは既存のアップリンクタイミンググループを再設定しながら全体または一部のＣＣに対するアップリンク同期獲得が必要な状況が発生することを感知するようになる（５６０）。
【０１７８】
このような状況を本明細書では‘グループ再編成条件’といい、ＵＥは‘グループ再編成条件’か否かを確認することによって、アップリンクタイミンググループの再編成が必要な状況を感知するようになる（５６５）。
【０１７９】
上記‘グループ再編成条件’は、例えば、ＵＥのグループ内のＣＣのうちの一部アップリンクＣＣに対してアップリンク転送データに対する応答がない場合、ｅＮＢがダウンリンク同期に対するグループ内の一部ＣＣに対して再設定を要求する場合、ＣＣ毎に設定したＣＣ時間調整タイマー（Time Alignment timer）が満了した場合、ｅＮＢ内のダウンリンク／アップリンク接続設定が変更される場合、またはアップリンクタイミンググループ変更及びグループ内のダウンリンク／アップリンク接続設定が変更される場合などがある。
【０１８０】
一方、仮にＵＥが物理的に異なるｅＮＢに一部のＣＣがハンドオーバーする場合、ＵＥは既存のアップリンクタイミンググループを再設定して、上記ハンドオーバーされた一部のＣＣに対するアップリンク同期獲得が必要であることを感知する。
【０１８１】
ＵＥはグループ再編成条件が発生した場合、ＴＡアップデートを必要とするアップリンクＣＣ、即ち有効なＴＡ値を確保していないアップリンクタイミンググループ内に含まれた全てのアップリンクＣＣのＲＡＰを生成してｅＮＢに転送する（５７０）。
【０１８２】
即ち、ステップ５７０ではＵＥが上記状況によって一部のＣＣに対する有効なＴＡ値を確保していないアップリンクタイミンググループに対し、各グループ内の全てのアップリンクＣＣに対するグループ設定を解除し、上記ＣＣに対して同時にＲＡＰを転送することができる。また、ＵＥは有効なＴＡ値を確保したアップリンクタイミンググループ内のＣＣはグループ設定を維持し、上記各グループ内で有効なＴＡ値を確保していないアップリンクＣＣのみグループ設定を解除し、上記アップリンクＣＣに限って同時にＲＡＰを転送することもできる。
【０１８３】
また、ＵＥは仮に各ＣＣ別のランダム接続のための資源設定が相異することにより、同時にＲＡＰを転送できない場合、状況発生の認知後、最も速く転送できる時間資源を優先的に選択してＲＡＰを転送することができる。
【０１８４】
勿論、ＲＡＰ転送過程（５７０）では、図５の場合と同様に、転送を必要とするアップリンクＣＣのＲＡＰを同時に転送する、転送を必要とする全てのアップリンクＣＣのＲＡＰを順次に転送する、または転送を必要とする全てのアップリンクＣＣのＲＡＰのうちの一部は順次に、他の一部は同時にランダムに転送することができる。
【０１８５】
次に、ｅＮＢは各ＣＣから同時に受信したＲＡＰが単一ＵＥから転送された信号であることを確認する。この際、ｅＮＢはアップリンクタイミンググループ内のＣＣのうちの一部のＣＣに対して既存のＴＡ値が有効でなくなる状況を感知する場合、アップリンクタイミンググループの再設定時、ＵＥが使用するＲＡＰを別途に設定して、これをＵＥに知らせる。そして、ｅＮＢはアップリンクグループの再設定時に使用する時間／周波数資源を別途に設定し、これを各ＵＥに知らせて、設定された時間／周波数資源を通じてＲＡＰを受信するか否かを確認してＵＥを感知する。
【０１８６】
即ち、ｅＮＢが指定したＲＡＰまたは時間／周波数資源に単一ＵＥからＵＥ ＣＣ集合内の全てのＣＣに対するＲＡＰを受信する場合、ＵＥからアップリンクタイミンググループの再設定が要求されることを認知し、算出されたＴＡ値を基準にアップリンクタイミンググループを再構成する。ここに、ｅＮＢはＴＡ値を基準にアップリンクタイミンググループに対する代表ＣＣを再設定または再編成する（５７５）。
【０１８７】
ｅＮＢは、上記再設定または再編成したアップリンクタイミンググループ情報をＵＥに転送する（５８０）。上記再設定されたアップリンクタイミンググループ情報はＰＤＣＣＨを介して転送される、またはＭＡＣ制御情報の形態で転送される、またはＲＲＣシグナリングを通じて転送される。
【０１８８】
ｅＮＢは、ＴＡ値が有効でなかったＣＣを含んだ各グループの代表ＣＣに限ってＴＡ値をＲＡＲに含んでＵＥに転送することができる（５８５）。そして、ＵＥは上記ＲＡＲを通じて受信されたダウンリンクＣＣと接続設定されたアップリンクＣＣが代表ＣＣに設定されることを認知し、上記受信したＲＡＲ内に含まれた情報を受信して有効性検証手続きを実行する（５９０）。
【０１８９】
ＵＥはグループ内の他のアップリンクＣＣに受信されたＴＡ値を適用（５９５）することで、ＵＥがｅＮＢとのアップリンク同期を獲得する。
【０１９０】
図９は、本発明の一実施形態に係るＵＥの動作に対する図である。ここで、図９は初期アップリンクタイミンググループの設定がｅＮＢで実行される場合、ＵＥの動作を図示したものである。
【０１９１】
図９を参照すると、ＵＥはｅＮＢからＣＣセット情報を受信する（６００）。上記ＣＣセット情報はＰＣＣを通じて受信されることができ、ＲＲＣメッセージを通じて受信されることができる。
【０１９２】
ＵＥは、上記受信したＣＣセット情報に基づいてＣＣセット内に構成されているＣＣのＳＩを受信する（６０５）。上記ＳＩはブロードキャスティングチャンネルを介して複数のＵＥに共通に転送されることもでき、またはＲＲＣメッセージを通じて専用チャンネルの形態で転送されることもできる。上記ＳＩはＰＣＣを通じて転送されることができる。ここに、ＵＥは上記ＳＩを用いてＣＣセット内のアップリンクＣＣを構成する。
【０１９３】
また、上記ステップ６０５で、ＵＥはｅＮＢから使用する各ＣＣのＲＡＰまたは時間／周波数資源に対する情報を受信することができる。上記受信された各ＣＣのＲＡＰまたは時間／周波数資源に対する情報を用いてＵＥは最初のアップリンクタイミンググループを設定することができる。上記ＲＡＰまたは時間／周波数資源に対する情報は、ＰＣＣを通じて上記ＳＩ内に含まれて転送され、またはＲＲＣメッセージの形態で転送されることができる。
【０１９４】
ＵＥは受信されたＳＩ内のＲＡＣＨ情報とＣＣパラメータに基づいてアップリンク同期獲得のために構成された全てのアップリンクＣＣを通じて同時にＲＡＰを転送できるか否かを確認する（６１０）。
【０１９５】
ここで、上記ＵＥはｅＮＢにより設定された‘構成されたアップリンクＣＣ’のＲＡＣＨパラメータのうち、上記ＵＥ専用（UE specific）ＲＡＣＨパラメータを確認する。上記ＵＥ専用ＲＡＣＨパラメータのうち、ＲＡＰ情報が設定されている場合、ＵＥは自身のＲＡＰ情報を確認して各構成されたアップリンクＣＣに転送するＲＡＰを設定する。ここで、上記ＲＡＰ情報はｅＮＢが各ＵＥの区別のためにＵＥ毎に相異するように設定したプリアンブル情報である。または、上記ＵＥ専用ＲＡＣＨパラメータのうち、時間／周波数資源情報が設定されている場合、ＵＥは自身の時間／周波数資源情報を確認して各構成されたアップリンクＣＣに転送するＲＡＰを設定する。ここで、上記時間／周波数資源情報はｅＮＢがＵＥ毎に相異するように設定した情報である。
【０１９６】
上記ステップ６１０の確認結果、構成された全てのアップリンクＣＣを通じて同時にＲＡＰを転送可能であることを確認したＵＥは、同時にＲＡＰを転送する（６１５）。一方、上記ステップ６１０の確認結果、ＵＥが全てのアップリンクＣＣを通じて同時にＲＡＰを転送できないことを確認した場合、ＵＥはステップ６４５に進行する。
【０１９７】
上記ＲＡＰ同時転送と関連して、ＵＥは複数個のアップリンクＣＣのうち、各々のアップリンクＣＣのＳＩ内に存在するＲＡＣＨパラメータを確認し、上記ＲＡＣＨパラメータに定義されている複数の時間／周波数資源を確認して、同一な時間にＲＡＣＨを転送するＲＡＰ転送時間（rach_t）を選択することができる。上記ＲＡＰ転送時間（rach_t）は、上記ＵＥにより全てのアップリンクＣＣを通じて上記ＲＡＰが同一に転送される時間である。
【０１９８】
ところが、ＵＥが上記ＲＡＰ転送時間（rach_t）を設定できない場合、即ち、ＵＥが同一な時間に構成された全てのアップリンクＣＣを通じてＲＡＰを転送できない場合、ＵＥはｅＮＢにＲＡＰ資源情報要求メッセージを転送する（６４５）。一例として、全てのアップリンクＣＣのＲＡＣＨパラメータを確認してＲＡＰを転送できる時間がｔ０、ｔ１に制限されていると仮定する。ＵＥがＣＣ１、ＣＣ３、ＣＣ４を通じてｔ０時間にＲＡＰを転送可能であることを確認し、ｔ１時間ではＲＡＰ転送不可能であることを確認し、ＣＣ２を通じてｔ１時間にＲＡＰを転送可能であることを確認し、ｔ０時間では転送不可能であることを確認した場合、ＵＥはｅＮＢにＲＡＰ資源情報要求メッセージを転送することができる。
【０１９９】
その後、上記ＲＡＰ資源情報要求に対する応答として、ＵＥはｅＮＢからＲＡＰ資源情報応答メッセージを受信する（６５０）。これは、上記ＲＡＰ資源情報要求メッセージを受信したｅＮＢが上記ＵＥにより全てのＣＣを通じて同時にＲＡＰが転送できないことを確認し、その結果、上記ｅＮＢが上記ＵＥのＲＡＰ転送時に使われる転送時間周波数資源及びプリアンブル種類を選択し、上記選択した情報を上記ＲＡＰ資源情報応答メッセージに含んでＵＥに転送する過程を含む。
【０２００】
上記ＲＡＰ資源情報応答メッセージを受信したＵＥは、上記ＲＡＰ資源情報応答メッセージ内の情報に基づいて構成された全てのアップリンクＣＣを通じてＲＡＰを転送する（６５５）。一方、仮にｅＮＢから受信されたＲＡＰ資源情報応答メッセージにＲＡＰ資源情報が存在しない場合、ＲＡＰを転送しなければならない時点で構成された全てのアップリンクＣＣを通じて同時にＲＡＰを転送できる最大限速い時間を選択する。この際、全てのＣＣで同一なＲＡＰを選択して同時にＲＡＰを転送することができる。
【０２０１】
その後、ｅＮＢからＰＣＣを通じてアップリンクタイミンググループ情報を受信する（６２０）。即ち、ｅＮＢはＵＥから転送されたＲＡＰを確認して上記ＵＥがアップリンクタイミンググループの設定を要求することを確認し、上記ＲＡＰを通じて受信されたプリアンブルを用いてＴＡ値を計算した後、上記計算されたＴＡ値に基づいて上記ＵＥのアップリンクタイミンググループを生成する。上記生成したアップリンクタイミンググループ情報を上記ＵＥに転送する。
【０２０２】
上記アップリンクタイミンググループ情報は、ＰＣＣを通じてＰＤＣＣＨ、ＭＡＣメッセージの制御情報の形態、またはＲＲＣメッセージを通じて受信できる。
【０２０３】
ＵＥは、ｅＮＢから構成された全てのアップリンクＣＣと接続設定されているダウンリンクＣＣのうちの一部または全てのダウンリンクＣＣでＲＡＲを同時に受信することができる（６２５）。上記接続設定は、無線通信システム内で固定的に設定されることもでき、ＳＩを用いてｅＮＢ毎に設定されることもでき、ＲＲＣメッセージを通じてＵＥまたはＵＥグループ毎に設定されることもできる。上記ＲＡＲメッセージは、一例として、ｅＮＢにより受信されたＵＥプリアンブルの識別情報、ｅＮＢまたはセルの識別子（ＩＤ）、臨時ＣＲＡＮＩ、上記ＵＥプリアンブルを受信したタイムスロットに対する情報、ＵＬグラント（grant）情報、そしてアップリンク同期化のためのタイミング情報（ＴＡ）などを含むことができる。
【０２０４】
ここに、ＵＥは上記受信したＴＡ情報を用いて決まったスケジュール時点で、ＵＬグラント情報に含まれている時間周波数資源情報を用いて物理アップリンクデータチャンネル（ＰＵＳＣＨ）を介してデータを送信し、ＨＡＲＱを実行することもできる。
【０２０５】
ＵＥはＲＡＲを受信したＣＣに対してＴＡ有効性を同時に検証することができる（６３０）。この際、上記ＵＥ専用ＲＡＣＨパラメータのうち、ＲＡＰ情報が設定されている場合、ＵＥはＴＡ有効性検証を省略することができる。
【０２０６】
前述したように、ＵＥはｅＮＢから受信されたＡＣＫメッセージに含まれたＣＲＮＴＩ、Ｔ＿ＣＲＮＴＩ、またはＵＥ ＩＤが自身に割り当てられたＣＲＮＴＩ、Ｔ＿ＣＲＮＴＩ、またはＵＥ ＩＤと同一か否かを確認して、上記ＴＡの有効性を同時に検証することができる。ここで、ＵＥはＣＲＮＴＩ、Ｔ＿ＣＲＮＴＩ、またはＵＥ ＩＤを含むＬ２／Ｌ３メッセージをｅＮＢに転送し、ｅＮＢからＬ１／Ｌ２メッセージを受信する。これはＡＣＫメッセージがＨＡＲＱ動作に基づくものであるためである。
【０２０７】
ＵＥは、ＲＡＲ受信を通じてｅＮＢが上記ＲＡＲが受信されたダウンリンクＣＣと接続設定されているアップリンクＣＣをグループ内の代表ＣＣに設定したということを認知し、上記アップリンクＣＣをグループ内の代表ＣＣに設定する（６３５）。
【０２０８】
ＵＥは、各グループ内の他のＣＣに対し、上記ステップ６６０で受信した代表ＣＣのＴＡ値を反映してアップデートする（６４０）。
【０２０９】
図１０は、本発明に係る初期グルーピングをＵＥで進行する場合のＵＥの信号流れ図である。
【０２１０】
図１０を参照すると、ＵＥはｅＮＢからＣＣセット情報を受信（７００）し、上記ＣＣセット内に含まれるＣＣに対するＳＩ情報を受信する（７０２）。
【０２１１】
ＵＥはｅＮＢから受信されたＳＩ内のグループ構成関連情報を確認（７０４）し、確認した情報を基準にアップリンクタイミンググループを設定し、グループ内の代表ＣＣを設定する（７０６）。上記アップリンクタイミンググループ設定及びグループ内の代表ＣＣの設定は、前述したものと同一または類似の構成を利用することができ、重複を避けるためにその説明を省略する。
【０２１２】
次に、ＵＥは上記各グループ内の代表アップリンクＣＣを通じたＲＡＰ信号の転送方式を決める（７０８）。ここで、ＵＥの上記ＲＡＰ信号の転送方式の決定はｅＮＢにより、またはＵＥにより実行できる。
【０２１３】
上記ＲＡＰ信号転送方式は、転送を必要とする全ての代表ＣＣに対するＲＡＰを同時に（Parallel）転送する方式（７１０）と、転送を必要とする全ての代表ＣＣのうちの一部のＲＡＰは同時に転送し、残りの一部に対してはランダムにまたは順次に転送する方式（７２０）と、転送を必要とする全ての代表ＣＣに対するＲＡＰを各々個別的に転送する方式（７３０）などが含まれることができる。
【０２１４】
上記ＲＡＰ転送方式を決める方法の一例としては、ｅＮＢからのシグナリング情報（優先順位情報または基準情報）を利用したり、ＵＥが受信したＳＩを用いて決定したり、ｅＮＢとＵＥとの間に予め決まった約束に従う方式などが含まれることができるが、それに限定されるものではない。
【０２１５】
即ち、ｅＮＢによりＲＡＰを転送する代表アップリンクＣＣが選択されれば、ＵＥがこれを受信して確認し、上記受信された選択情報によってＵＥがランダムにまたは順次にＲＡＰを転送することができる。または、ＵＥがＲＡＰを転送する代表アップリンクＣＣを選択し、ランダムにまたは順次にＲＡＰを転送することができる。または、ＵＥは全ての代表アップリンクＣＣに同時にＲＡＰを転送し、または一部は順次に、一部は同時に、もしくはランダムにＲＡＰを転送することができる。
【０２１６】
ここで、ｅＮＢは、ＲＡＰの種類、ＲＡＰを転送する時間／周波数資源を決定することができる。ここに、ＵＥはｅＮＢから受信した情報によりＲＡＰを設定及びＲＡＰ転送時間／周波数資源を代表アップリンクＣＣ毎に設定する。
【０２１７】
一方、ｅＮＢからＲＡＰのための特別なシグナリングがない場合、またはｅＮＢ制御モードがオフ（off）のシグナリングが受信された場合、ＵＥはランダム接続のために各代表アップリンクＣＣと接続設定されているダウンリンクＣＣを通じて受信したＳＩに設定されている各代表アップリンクＣＣのパラメータを用いてＵＥにより決める。
【０２１８】
上記ＲＡＰ転送設定は、ｅＮＢが特定のＵＥまたは複数のＵＥに関して代表アップリンクＣＣ毎にＲＡＰ設定範囲またはＲＡＰ転送時間／周波数資源の選択範囲に追加的な制限のある形態であることもあり、または直接、代表アップリンクＣＣ毎に転送するＲＡＰを設定することもできる。
【０２１９】
ＵＥは、各代表アップリンクＣＣのＲＡＰ信号を転送する時間／周波数資源を選択するために、アップリンクでデータを転送するＣＣを選択し、該当ＣＣが含まれたグループに限って代表アップリンクＣＣを通じてＲＡＰを転送することができる。
【０２２０】
一方、ＵＥは現在アップリンクでデータを転送するために構成された全てのアップリンクＣＣが必要であると判断される場合、全ての代表アップリンクＣＣに対して同時にＲＡＰを転送することができる。一方、一部のアップリンクＣＣが必要であると判断する場合、一部のアップリンクＣＣが含まれたグループに限って代表アップリンクＣＣを通じてＲＡＰを同時に転送し、残りのグループに対する代表アップリンクＣＣは順次にまたはランダムにＲＡＰを転送する方式を選択することができる。
【０２２１】
より詳しくは、ＵＥがｅＮＢからＲＡＰを転送するアップリンクＣＣの優先順位情報を受信し、上記受信された情報に基づいて順次にＲＡＰを転送する方式を選択することができる。
【０２２２】
または、ＵＥがＰＣＣを通じてＲＡＰを転送するアップリンクＣＣの優先順位を設定した基準情報を受信することができる。この場合、ＵＥは上記基準情報によって７０４で受信した各アップリンクＣＣのＳＩを用いてＲＡＰを転送する代表アップリンクＣＣの優先順位を決定することができる。
【０２２３】
上記優先順位を設定する基準情報は、ＭＡＣ制御情報として受信することができる。この際、上記ＭＡＣ制御情報はＰＤＳＣＨを介して受信可能であり、またはＰＤＣＣＨを介して受信可能である。また、上記優先順位を設定する基準情報は、ＲＲＣメッセージを通じて受信することができる。上記ＲＲＣメッセージはＰＤＳＣＨを介して受信されることを含む。ここで、上記基準情報は、一例として、帯域幅（ＢＷ）でありうる。したがって、ＵＥはＳＣＣに対して上記帯域幅を適用して優先順位を設定する方式を選択することができる。
【０２２４】
一方、仮に上記基準情報がＵＥとｅＮＢとの間に予め約束されていれば、ＵＥはｅＮＢから特別なシグナリング無しでＲＡＰを転送するＣＣの優先順位を決定することができる。一例として、ＵＥがＲＡＰを転送するＳＣＣが２つ以上の場合、帯域幅の広いＣＣに優先順位を置いてＲＡＰを転送する方式を選択することができる。また、ＵＥは上記基準情報に関わらず、ＰＣＣに対して優先順位を最も高く設定してＰＣＣが含まれたグループ内の代表ＣＣを通じてＲＡＰを最も先に転送することができる。
【０２２５】
一方、ＵＥはｅＮＢから各ＣＣのＳＩを受信した後、ランダムにグループ内の代表アップリンクＣＣを選択してＲＡＰを転送する方式を選択することができる。なぜならば、上記各ＣＣのＳＩにはＲＡＣＨのためのプリアンブル情報と、時間周波数資源に対する情報が含まれているためである。したがって、ＵＥは各グループ内の代表アップリンクＣＣに対するプリアンブルと時間周波数資源に対する情報を確認して任意に特定プリアンブルと時間周波数資源を選択した後、選択したグループ内の代表アップリンクＣＣでＲＡＣＨを実行することができる。
【０２２６】
ステップ７０８で、全ての代表ＣＣのＲＡＰを同時に転送する方式（７１０）に決まった場合、ＵＥは転送を必要とする代表ＣＣのＲＡＰを生成した後、同時にｅＮＢに転送（７１２）し、ｅＮＢから同時または順次にＲＡＲを受信した後、ＣＲなどを用いたＴＡ有効性検証を実行する（７１４）。
【０２２７】
上記ＴＡの有効性が検証されることを確認すれば、ＵＥは該当ＴＡを用いて各アップリンクタイミンググループ別のＴＡ値をアップデートし（７１６）、該当ＴＡ値を用いてアップリンクタイミンググループに含まれた１つ以上のＣＣを通じてアップリンクデータ転送を実行する（７１８）。
【０２２８】
一方、ステップ７０８で、一部の代表ＣＣのＲＡＰを同時に転送する方式（７２０）に決まった場合、ＵＥは代表ＣＣのＲＡＰを生成した後、優先順位などの前述した基準によって同時転送する代表ＣＣのＲＡＰを決定した後、決定したＲＡＰを同時にｅＮＢに転送し、残りの代表ＣＣのＲＡＰは順次またはランダムな順序に個別的にｅＮＢに転送する（７２２）。次に、ＵＥはｅＮＢから同時または個別的にＲＡＲを受信した後、ＣＲなどを用いたＴＡ有効性検証を実行する（７２４）。ＴＡの有効性が検証されれば、該当ＴＡを用いて各アップリンクタイミンググループ別のＴＡ値をアップデートする（７２６）。
【０２２９】
その後、ＵＥは必要アップリンクＣＣのＴＡが確保されたか否かを確認（７２８）した後、必要アップリンクＣＣのＴＡが確保された場合には該当ＴＡ値を用いてアップリンクタイミンググループに含まれた１つ以上のＣＣを通じてアップリンクデータ転送を実行し（７１８）、必要アップリンクＣＣが確保されていない場合には、またステップ７２２に進行する。ここで、必要アップリンクＣＣを確保したということは、アップリンクデータを転送することに充分の個数または帯域のＣＣを確保したことを意味する。
【０２３０】
一方、ステップ７０８で、全ての代表ＣＣのＲＡＰを個別的に転送する方式（７３０）に決まった場合、ＵＥは全ての代表ＣＣのＲＡＰを生成した後、順次に、またはランダムに個別的にｅＮＢに転送し（７３２）、ＵＥはｅＮＢから同時または個別的にＲＡＲを受信した後、ＣＲなどを用いたＴＡ有効性検証を実行する（７３４）。ＴＡの有効性が検証されれば、該当ＴＡを用いて各アップリンクタイミンググループ別のＴＡ値をアップデートする（７３６）。必要アップリンクＣＣのＴＡが確保されたか否かを確認（７３８）した後、必要アップリンクＣＣのＴＡが確保された場合には、該当ＴＡ値を用いてアップリンクタイミンググループに含まれた１つ以上のＣＣを通じてアップリンクデータ転送を実行する（７１８）。一方、必要アップリンクＣＣが確保されていない場合には、またステップ７３２に進行する。
【０２３１】
上記必要アップリンクＣＣは構成された全てのアップリンクＣＣであることもあり、 アップリンクでデータを転送するために必要なアップリンクＣＣであることもある。仮に、必要アップリンクＣＣに対してＴＡ値を確保していない場合、ＴＡ値を確保していないグループの代表アップリンクＣＣを通じてＲＡＰを転送する。上記代表アップリンクＣＣのＲＡＰ転送時に使用する方式の以前の代表アップリンクＣＣのＲＡＰ転送時に適用した規則を同一に適用する。
【０２３２】
ＵＥは必要アップリンクＣＣに対して有効なＴＡ値獲得が完了することを確認すれば、ｅＮＢのスケジューラにより資源の割当を受けたアップリンクＣＣを通じてｅＮＢにデータを転送する（７１８）。
【０２３３】
仮に、競争基盤のアップリンク転送が可能な場合、ＵＥはｅＮＢからＳＩを通じて、またはＲＲＣメッセージを通じて伝達を受けた競争基盤転送が可能な時間／周波数資源関連情報を考慮してｅＮＢに転送するＣＣと資源を選択してｅＮＢにデータを転送する。
【０２３４】
図１１は、本発明の一実施形態に従ってＴＡ値をアップデートする場合に対するＵＥの信号流れ図である。
【０２３５】
図１１によるＲＡＰ転送方法は、大別して、初期アップリンクタイミンググループが設定された状態で、１つ以上のＣＣまたはグループに対するＴＡアップデートを必要とする場合、アップデートを必要とする全てのＣＣまたは代表アップリンクＣＣのＲＡＰを転送するＲＡＰ転送方式を決めるステップと、決まった方式により上記アップデートを必要とする全てのＣＣまたは代表アップリンクＣＣのＲＡＰを転送するステップを含むことができ、細部的な構成は以下の通りである。
【０２３６】
図１１を参照すると、ＵＥは構成されたアップリンクＣＣのうち、全体または一部のＣＣに対してＴＡ値に対する有効性が喪失される場合、ＵＥのアップリンクＣＣに対するＴＡの有効性獲得のための手続きの開始をトリガリングする（８０２）。
【０２３７】
この際、ＵＥは既存のＴＡ値が有効でなくなる状況が発生することを感知し、または新たなアップリンクＣＣが追加されることを感知する場合、既存のアップリンクタイミンググループを維持しながら全体または一部のグループに対するアップリンク同期獲得が必要な状況であることを確認する（８０４）。即ち、ステップ８０４で、ＵＥはアップリンクタイミンググループの再設定無しで特定ＣＣまたは特定代表ＣＣのＴＡのみをアップデートしなければならない‘ＴＡアップデート条件’を確認する。
【０２３８】
上記８０２または８０４の状況、即ちＴＡアップデート条件の一例には、ｅＮＢが全てのダウンリンクＣＣに対して同期再設定を要求する場合、または全てのアップリンクデータの転送を初期化し、再試図する場合、またはＵＥ時間調整タイマー（Time Alignment timer）が満了した場合、またはグループ毎に設定したグループ時間調整タイマータイマーが満了した場合、または新たなアップリンクＣＣが追加構成される場合を含むことができるが、それに限定されるものではない。
【０２３９】
上記状況によって全体または一部のアップリンクタイミンググループに対して有効なＴＡ値を確保していないＵＥは、設定されている各グループ内の代表ＣＣのＲＡＣＨパラメータを通じて任意のＲＡＰを選択し、各ＣＣのＳＩに定義された資源のうちの１つを選択してＲＡＰを転送するためのＲＡＰ転送方式を決める（８０６）。
【０２４０】
上記ステップ８０６でのＲＡＰ信号転送方式には、転送を必要とする全ての代表ＣＣに対するＲＡＰを同時に転送する方式（８１０）と、転送を必要とする全ての代表ＣＣのうちの一部のＲＡＰは同時に転送し、残りの一部に対してはランダムにまたは順次に個別転送する方式（８２０）と、転送を必要とする全ての代表ＣＣに対するＲＡＰを各々個別的に転送する方式（８３０）などが含まれることができる。
【０２４１】
上記ＲＡＰ転送方式を決める方法の一例には、ｅＮＢからのシグナリング情報（優先順位情報または基準情報）を利用したり、ＵＥが受信したＳＩを用いて決定したり、ｅＮＢとＵＥとの間に予め決まった約束に従う方式などが含まれることができるが、それに限定されるものではない。
【０２４２】
上記ＲＡＰ信号の転送方式の決定は、ｅＮＢにより設定された各ＣＣの時間／周波数資源でＵＥによりランダムにまたは順次に転送される方式を含む。または、同時に転送する方式を含む。または、一部はランダムや順次に、一部は同時に転送する方式を含む。
【０２４３】
より詳しくは、同時にＲＡＰを転送する方式は、アップリンクＣＣを通じたデータの転送中に全ての既存のＴＡ値が有効でなくなった場合、構成された全てのグループの代表ＣＣを通じてＲＡＰを転送する方式である。即ち、ＵＥは同時に全てのグループの代表ＣＣを通じてＲＡＰを転送する。この際、新しく追加されたＣＣが新たなグループとして存在することができ、ここに上記追加されたＣＣが新しく定義されたグループの代表ＣＣとして動作することができる。
【０２４４】
また、一部はランダムであるが、一部は順次に転送する方式は、一部のアップリンクＣＣを通じたデータの転送中に全ての既存のＴＡ値が有効でなくなった場合に、必要時、データを転送していたアップリンクＣＣに対して同時にＲＡＰを転送し、その以外のアップリンクＣＣはｅＮＢまたはＵＥによりＲＡＰを転送する時間／周波数資源を選択して転送する場合である。
【０２４５】
一方、アップリンクで転送しようとするデータがない、または遅延時間に対して問題にならないデータの場合、ｅＮＢまたはＵＥによりＲＡＰを転送する時間／周波数資源を選択してＵＥがＲＡＰを転送することができる。
【０２４６】
ここで、ＵＥが順次にＲＡＰを転送する場合、優先順位は各グループ内のＣＣの個数により決まることができる。例えば、グループ内のＣＣの個数が多い順に順位を決めることもでき、またはＣＣの個数が少ない順に順位を決めることもできる。また、グループ内のＣＣの代表ＣＣの中心周波数、または周波数帯域幅のサイズなどを考慮して順位を決めることもできるが、それに限定されるものではない。
【０２４７】
ステップ８０６で、全ての代表ＣＣのＲＡＰを同時に転送する方式（８１０）に決まった場合、ＵＥは転送を必要とする代表ＣＣのＲＡＰを生成した後、同時にｅＮＢに転送（８１２）し、ｅＮＢから同時または順次にＲＡＲを受信した後、ＣＲなどを用いたＴＡ有効性検証を実行する（８１４）。ＴＡの有効性が検証されれば、該当ＴＡを用いて各アップリンクタイミンググループ別のＴＡ値をアップデートし（８１６）、該当ＴＡ値を用いてアップリンクタイミンググループに含まれた１つ以上のＣＣを通じてアップリンクデータ転送を実行する（８１８）。
【０２４８】
一方、ステップ８０６で、一部の代表ＣＣのＲＡＰを同時に転送する方式（８２０）に決まった場合、ＵＥは代表ＣＣのＲＡＰを生成した後、優先順位などの前述した基準によって同時転送する代表ＣＣのＲＡＰを決定した後、そのＲＡＰを同時にｅＮＢに転送し、残りの代表ＣＣのＲＡＰは順次的またはランダムな順序に個別的にｅＮＢに転送する（８２２）。次に、ＵＥはｅＮＢから同時または個別的にＲＡＲを受信した後、ＣＲなどを用いたＴＡ有効性検証を実行する（８２４）。
【０２４９】
ＴＡの有効性が検証されれば、該当ＴＡを用いて各アップリンクタイミンググループ別のＴＡ値をアップデートする（８２６）。必要アップリンクＣＣのＴＡが確保されたか否かを確認（８２８）した後、必要アップリンクＣＣのＴＡが確保された場合には、該当ＴＡ値を用いてアップリンクタイミンググループに含まれた１つ以上のＣＣを通じてアップリンクデータ転送を実行し（８１８）、必要アップリンクＣＣが確保されていない場合には、またステップ８２２に進行する。
【０２５０】
ここで、必要アップリンクＣＣを確保したということは、アップリンクデータを転送することに充分の個数または帯域のＣＣを確保したことを意味する。
【０２５１】
一方、ステップ８０６で、全ての代表ＣＣのＲＡＰを個別的に転送する方式（８３０）に決まった場合、ＵＥは全ての代表ＣＣのＲＡＰを生成した後、順次的またはランダムに個別的にｅＮＢに転送し、ＵＥはｅＮＢから同時または個別的にＲＡＲを受信した後、ＣＲなどを用いたＴＡ有効性検証を実行する（８３２）。
【０２５２】
ＴＡの有効性が検証されれば、該当ＴＡを用いて各アップリンクタイミンググループ別のＴＡ値をアップデートする（８３４）。必要アップリンクＣＣのＴＡが確保されたか否かを確認（８３６）した後、必要アップリンクＣＣのＴＡが確保された場合には、該当ＴＡ値を用いてアップリンクタイミンググループに含まれた１つ以上のＣＣを通じてアップリンクデータ転送を実行し（８１８）、必要アップリンクＣＣが確保されていない場合には、またステップ８３２に進行する。
【０２５３】
ここで、必要アップリンクＣＣは構成された全てのアップリンクＣＣであることもあり、アップリンクによりデータを転送するために必要なアップリンクＣＣであることもある。仮に、必要アップリンクＣＣに対してＴＡ値を確保していない場合、ＴＡ値を確保していないグループの代表アップリンクＣＣを通じてＲＡＰを転送する。上記代表アップリンクＣＣのＲＡＰ転送時に使用する方式の以前の代表アップリンクＣＣのＲＡＰ転送時に適用した規則を同一に適用する。
【０２５４】
ＵＥは、必要アップリンクＣＣに対して有効なＴＡ値獲得が完了すれば、ｅＮＢのスケジューラにより資源の割当を受けたアップリンクＣＣを通じてｅＮＢにデータを転送する（８１８）。仮に、競争基盤のアップリンク転送が可能な場合、ＵＥはｅＮＢからＳＩを通じて、またはＲＲＣメッセージを通じて伝達を受けた競争基盤転送が可能な時間／周波数資源関連情報を考慮してｅＮＢに転送するＣＣと資源を選択してｅＮＢにデータを転送する。
【０２５５】
図１２は、本発明に係るアップリンクタイミンググループを再編成するＵＥの動作に関するものである。
【０２５６】
図１２を参照すると、ＲＡＰ転送方法は、大別して、初期アップリンクタイミンググループが設定された状態で、上記アップリンクタイミンググループの再編成を必要とする場合、１つ以上のＣＣに対するＴＡ獲得方式を決めるステップと、上記ＴＡ獲得方式に従って上記１つ以上のＣＣに対するＲＡＰを転送するステップを含むことができ、細部的な構成は以下の通りである。
【０２５７】
ＵＥは、構成されたアップリンクＣＣのうちの全体または一部のＣＣに対してＴＡ値に対する有効性が喪失される場合、ＵＥのアップリンクＣＣに対するＴＡの有効性獲得のための手続きの開始をトリガリングする（９０２）。
【０２５８】
ＵＥは、上記９０２の状況がアップリンクタイミンググループ内のＣＣのうちの一部のＣＣに対して既存のＴＡ値が有効でなくなる状況の場合、または新たなＣＣが追加された場合などのように、ＵＥが既存のアップリンクタイミンググループを再設定しながら全体または一部のグループのＣＣに対するアップリンク同期獲得が必要な状況の場合、グループ再編成を必要とする‘グループ再編成条件’であることを確認する（９０４）。
【０２５９】
上記９０４の状況、即ち‘グループ再編成条件’は、例えば、ＵＥが新たなアップリンクＣＣを追加構成した場合、ＵＥのグループ内のＣＣのうちの一部のアップリンクＣＣに対してアップリンク転送データに対する応答がない場合、またはｅＮＢがダウンリンク同期に対するグループ内の一部のＣＣに対して再設定を要求する場合、またはＣＣ毎に設定したＣＣ時間調整タイマー（Time Alignment timer）が満了した場合、ｅＮＢ内のダウンリンク／アップリンク接続設定が変更される場合、またはアップリンクタイミンググループの変更及びグループ内のダウンリンク／アップリンク接続設定が変更される場合、ＵＥが新たな追加アップリンクＣＣを追加構成した場合などを含むことができるが、それに限定されるものではない。
【０２６０】
一方、仮にＵＥが物理的に異なるｅＮＢに一部のＣＣがハンドオーバーする場合、ＵＥは既存のアップリンクタイミンググループを再設定して、上記ハンドオーバーされた一部のＣＣに対するアップリンク同期獲得が必要であることを感知する。
【０２６１】
ＵＥは新たな追加アップリンクＣＣを追加構成した場合であるかを判断する（９０６）。ここに、ＵＥは追加アップリンクＣＣを通じてのみＲＡＰを転送する（９０８）。この際、ＲＡＰの選択と時間／周波数資源選択は該当追加アップリンクＣＣのＳＩ内の情報に従う。
【０２６２】
ＵＥは、ＲＡＰに対する応答として、ｅＮＢから追加アップリンクＣＣと接続設定されたダウンリンクＣＣを通じてＲＡＲを受信し、ＴＡ値の有効性を検証する（９１０）。
【０２６３】
ＵＥは、追加アップリンクＣＣの有効なＴＡ値に基づいて、上記追加アップリンクＣＣのＴＡ値が既存のアップリンクタイミンググループのＴＡ値と比較してしきい値以下と判断されるグループが存在する場合、ＵＥはグループを再設定し、上記追加アップリンクＣＣのＴＡ値をグループ内の代表ＣＣのＴＡ値にアップデートする。即ち、獲得したＴＡ値と該当追加アップリンクＣＣのＴＡ値との差が定まったしきい値内に存在する場合、これを該当グループに設定し、そうでない場合、新たなグループに設定する（９１２）。
【０２６４】
仮に、追加アップリンクＣＣによってグループ内の代表ＣＣ設定基準に従ってグループ内の代表ＣＣを再設定しなければならない場合、各グループ内の代表ＣＣを再設定することができる。仮に、グルーピングをｅＮＢで決める場合には、必要に応じてＵＥがｅＮＢに変更されたグループ情報をＭＡＣシグナリングまたはＲＲＣメッセージ等を通じて知らせることもできる。
【０２６５】
一方、ＵＥが新たなアップリンクＣＣを追加構成した場合でなければ、ＵＥはグループ再編成のためのＴＡ値獲得方式を決める（９２０）。上記グループ再編成のためのＴＡ値獲得方式は、上記ステップ８０４の状況によってＵＥは一部のＣＣに対する有効なＴＡ値を確保していないアップリンクタイミンググループに対し、各グループ内の全てのアップリンクＣＣに対するグループ設定を解除し、上記ＣＣに対して同時にＲＡＰを転送する第１方式（９２２、９２４）と、ＵＥは有効なＴＡ値を確保したアップリンクタイミンググループ内のＣＣはグループ設定を維持し、上記各グループ内で有効なＴＡ値を確保していないアップリンクＣＣのみグループ設定を解除し、上記アップリンクＣＣに限って同時にＲＡＰを転送する第２方式を含むことができるが、それに限定されるものではない。
【０２６６】
また、上記第２方式では、グループ設定が解除された特定アップリンクタイミンググループ内の全てのＣＣに対するＲＡＰを同時転送する第２−１方式（９２６、９２８）と、特定アップリンクタイミンググループ内で有効なＴＡを確保していないアップリンクＣＣに対してのみグループ設定を解除し、そのアップリンクＣＣに対してのみＲＡＰを転送する第２−２方式（９３０）を含むことができる。
【０２６７】
ＵＥは、上記決まったグループ再編成のためのＴＡ値の獲得方式に従って第１方式の場合には、全てのアップリンクＣＣに対するＲＡＰを全てのアップリンクＣＣを通じて同時に転送し（９２４）、第２−１方式の場合には一部グループ内の全てのＣＣアップリンクＣＣに対して同時にＲＡＰを転送し（９２８）、第２−２方式の場合には各グループ内で有効なＴＡ値を確保していないアップリンクＣＣのみグループ設定を解除し、上記アップリンクＣＣに限って同時にＲＡＰを転送する（９３０）。
【０２６８】
次に、ＵＥはアップリンクタイミンググルーピングがｅＮＢにより実行されるか否かを確認（９３２）する。
【０２６９】
アップリンクタイミンググルーピングがｅＮＢにより実行される場合には、転送されたＲＡＰを用いて、ｅＮＢが生成して転送したアップリンクタイミンググループ情報を受信し（９３４）、ＲＡＲを同時または個別的に転送を受けた後、ＴＡを検証する（９３６）。その後、ＵＥは受信したアップリンクタイミンググループ情報及びＲＡＲを用いて、ＲＡＲが受信されたＣＣを該当グループ内の代表ＣＣに設定し（９３８）、アップリンクタイミンググループ別にＴＡ値を更新する（９４０）。
【０２７０】
一方、ＵＥは確認（９３２）した結果、ＵＥ自身がグルーピングを実行しなければならない場合に、ＲＡＰを転送した全てのＣＣに対するＲＡＲを受信した後、ＴＡ値を獲得し、ＣＲなどを用いてＴＡ値の有効性を検証する（９４２）。次に、ＵＥは前述したグルーピング方式を用いてアップリンクタイミンググループを再設定または再編成し、グループ内の代表ＣＣを設定した後、代表ＣＣに対するＴＡ値をアップデートする（９４４）。
【０２７１】
図１３は、本発明の一実施形態に係るｅＮＢの信号流れ図である。
【０２７２】
図１３を参照すると、ＴＡ転送方法は、大別して、初期アップリンクタイミンググループが設定された状態で、上記アップリンクタイミンググループの再編成またはＴＡアップデート条件を感知したＵＥから１つ以上のＣＣまたはグループ代表ＣＣに対するＲＡＰを受信するステップと、ＲＡＰを受信したＣＣに対するＴＡ値を生成してＵＥに転送するステップとを含むことができ、細部的な構成は以下の通りである。
【０２７３】
ｅＮＢは、ｅＮＢの使用可能な周波数資源、ＵＥの装置情報、サポート可能通信方式などを考慮して該当ＵＥのＣＣセットを設定し、これをＵＥに転送する（１００５）。
【０２７４】
ｅＮＢは、上記ステップ１００５で設定したＣＣセット内のＣＣを構成するために、ＵＥに該当ＣＣに対するＳＩを転送する（１０１０）。この際、ＳＩはブロードキャスティングチャンネルを介してＵＥに転送されることができ、またはＲＲＣメッセージなどを用いてＵＥに転送されることもできる。また、ＲＲＣメッセージの場合、ダウンリンクＰＣＣを通じて転送されることができ、その以外の活性化されたダウンリンクＣＣを通じて転送されることもできる。
【０２７５】
仮に、ｅＮＢがＵＥからＲＡＰを受信した場合（１０１５）、受信されたＲＡＰの種類と時間／周波数資源を考慮して特定ＵＥがアップリンクタイミンググループ設定を要求する状況であるか否かを判断する（１０２０）。
【０２７６】
上記ステップ１０２０の状況は、ｅＮＢが各ＵＥに相異するように設定したアップリンクタイミンググループ設定要求の必要なときに使用するＲＡＰの種類と時間／周波数資源を確認して判断することができる。
【０２７７】
例えば、ｅＮＢは特定ＵＥに構成されたアップリンクＣＣに対して最初アップリンクタイミンググループ設定時に使用するＲＡＰ種類及び時間／周波数資源を割り当てて、これをＵＥに知らせる。仮に、ＵＥが最初のアップリンクタイミンググループ設定を必要とする場合、ｅＮＢから受信した上記ＲＡＰ種類及び時間／周波数資源情報を用いてｅＮＢにＲＡＰを転送する。ｅＮＢが受信したＲＡＰのうちから上記時間周波数資源に上記ＲＡＰを受信した場合、ｅＮＢは特定ＵＥが最初のアップリンクタイミンググループ設定を要求したことを認知するようになる。
【０２７８】
ステップ１０２０で、アップリンクタイミンググループの設定要求と確認されれば、アップリンクタイミンググルーピングをｅＮＢ自身が実行するか否かを確認する（１０２５）。
【０２７９】
アップリンクタイミンググルーピングをｅＮＢ自身が実行する場合には、ＲＡＰが受信された全てのＣＣのＴＡ値を生成（１０４０）した後、前述したグルーピング方式を用いてアップリンクタイミンググループを設定し、各グループ内の代表ＣＣを決定（１０４５）し、決まった各グループ内の代表ＣＣに対するＴＡ値を含むＲＡＲまたはアップリンクタイミンググループ情報を生成してＵＥに転送する（１０５０）。
【０２８０】
一方、ステップ１０２５の確認結果、アップリンクタイミンググルーピングがＵＥにより実行される場合には、ｅＮＢがＲＡＰ受信された全てのＣＣのＴＡ値を生成し（１０３０）、ＲＡＲを通じて生成されたＴＡ値をＵＥに転送する（１０５５）。
【０２８１】
一方、ステップ１０２０で、ｅＮＢはアップリンクタイミンググループ設定要求でないことと確認されれば、ＲＡＰ受信されたＣＣに対するＴＡ値を生成（１０３５）した後、各グループ内の代表ＣＣのＴＡ値をＵＥに転送する（１０５０）。
【０２８２】
図１４は、本発明に係るＴＡ送信装置の構成図である。
【０２８３】
本実施形態によるＴＡ送信装置は、大別して、初期アップリンクタイミンググループが設定された状態で、上記アップリンクタイミンググループの再編成またはＴＡアップデート条件を感知したＵＥから１つ以上のＣＣまたはグループ代表ＣＣに対するＲＡＰを受信するＲＡＰ受信部と、上記ＲＡＰを受信したＣＣに対するＴＡ値を生成するＴＡ値生成部と、上記生成されたＴＡ値をＵＥに転送する送受信部を含むことができ、細部的な構成は以下の通りである。
【０２８４】
本実施形態によるＴＡ送信装置１１００は、ＣＣセット設定部１１１０、ＲＡＰ受信部１１２０、ＴＡ値生成部１１３０、及び送受信部１１４０を含んで構成され、アップリンクタイミンググループ設定部１１５０をさらに含むことができる。また、ＵＥとｅＮＢとの接続状態を確認して、接続されていない状態、即ち、ＵＥ ＲＲＣ_ＩＤＬＥ、またはアップリンク同期化がなされていない場合、ＵＥの接続状態をRRC_CONNECTEDに状態を変更する、またはアップリンク同期化がなされるようにする接続モード確認部と、使われるＣＣのＳＩを生成して転送するＳＩ転送部をさらに具備することができる。
【０２８５】
ＣＣセット設定部１１１０は、ＵＥが使用することができる少なくとも１つ以上のＣＣを確認してＵＥのＣＣセットを設定する。この際、ＵＥのためのＣＣセットは使用（構成）できるＣＣ同士間のアップリンク同期時間差、各ＣＣのタイプ情報、各ＣＣの中心周波数位置、各ＣＣのサービスサポート形態、及び各ＣＣのためのネットワークサービスなどを考慮して設定できる。
【０２８６】
ＲＡＰ受信部１１２０は、グループ再編成のないＴＡアップデート条件、またはグループ再編成条件を満たす場合、ＵＥが生成して転送するＲＡＰを受信する機能を実行する。
【０２８７】
より詳しく説明すると、ＴＡアップデート条件に該当してＵＥがＲＡＰ転送方式を決定した後、それによってＴＡアップデートを必要とする全ての代表ＣＣのＲＡＰを同時に転送する方式では、その全ての代表ＣＣのＲＡＰを同時に受信し、一部の代表ＣＣのＲＡＰは同時に転送し、残りの代表ＣＣのＲＡＰは個別的に転送する方式では、各代表ＣＣのＲＡＰを同時または個別的に受信し、ＴＡアップデートを必要とする代表ＣＣのＲＡＰを別にランダムにまたは順次に転送する場合、それを個別的に受信するようになる。
【０２８８】
一方、ＲＡＰ受信部１１２０は、グループ再編成条件に対応してＵＥによりＴＡ獲得方式が決定され、転送されるＲＡＰを受信する。ＵＥが全てのＣＣに対するＲＡＰを同時に転送する場合、それを同時に受信（第１方式）し、グルーピングが解除された特定グループ内に含まれる全てのＣＣのＲＡＰを同時に転送する場合には同時に受信し（第２−１方式）、特定グループ内で有効性を確保していない特定ＣＣに対するＲＡＰのみを転送する場合（第２−２方式）には、それに該当するＲＡＰを受信する機能を実行する。
【０２８９】
ＴＡ値生成部１１３０は、ＴＡアップデート条件またはグループ再編成条件に該当してＵＥが複数のＣＣに対するＲＡＰを転送した場合、新たなＴＡ値を生成する機能を実行する。
【０２９０】
一方、アップリンクタイミンググループ設定部１１５０は、グループ再編成条件に該当してＵＥが転送した複数のＣＣに対するＲＡＰに対するＴＡ値を用いてグループを再設定し、各グループの代表ＣＣを決める等の機能を実行するものであって、アップリンクタイミンググルーピングをｅＮＢが実行する場合に限って必要な構成要素である。
【０２９１】
送受信部１１４０は、本実施形態でＵＥとやり取りする全ての情報または信号を送信または受信するものであって、具体的には、ＴＡアップデート条件またはグループ再編成条件に該当してＵＥが同時または個別的に転送する複数のＣＣに対するＲＡＰを受信する機能と、ＴＡ設定部で生成した各ＣＣ別のＴＡ値をＵＥに転送する機能及びグループ再編成条件でｅＮＢが再編成したアップリンクタイミンググループ情報などをＵＥに転送する機能などを含む。
【０２９２】
図１５は、本発明の一実施形態に係るＲＡＰ送信装置の構成図である。
【０２９３】
本実施形態によるＲＡＰ送信装置は、初期のアップリンクタイミンググループが設定された状態で、１つ以上のＣＣまたはグループに対するＴＡアップデートを必要とする場合、アップデートを必要とする全てのＣＣまたは代表アップリンクＣＣのＲＡＰを転送するＲＡＰ転送方式を決めるＲＡＰ転送方式決定部と、決まったＲＡＰ転送方式により上記アップデートを必要とする全てのＣＣまたは代表アップリンクＣＣのＲＡＰの全部または一部を同時に転送する、または上記アップデートを必要とする全てのＣＣまたは代表アップリンクＣＣのＲＡＰの全部を個別的に転送するＲＡＰ転送部を含むことができ、細部的な構成は以下の通りである。
【０２９４】
ＲＡＰ送信装置１２００は、ＴＡアップデート条件確認部１２１０、ＲＡＰ転送方式決定部１２２０、ＲＡＰ転送部１２３０、ＲＡＲ受信部１２４０、ＴＡ有効性検証部１２５０、及びＴＡアップデート部１２６０などを含んで構成される。また、初期のアップリンクタイミンググルーピングをＵＥ自身が実行する場合には、アップリンクタイミンググループ設定部１２７０をさらに含むことができる。
【０２９５】
ＴＡアップデート条件確認部１２１０は、ｅＮＢが全てのダウンリンクＣＣに対して同期再設定を要求する場合、または全てのアップリンクデータの転送を初期化して再試図する場合、またはＵＥ時間調整タイマー（Time Alignment timer）が満了した場合、またはグループ毎に設定したグループ時間調整タイマーが満了した場合などのような‘ＴＡアップデート条件’が発行するかを確認する機能を実行する。
【０２９６】
ＲＡＰ転送方式決定部１２２０は、ｅＮＢからのシグナリング情報（優先順位情報または基準情報）を利用したり、ＵＥが受信したＳＩを用いて決定したり、ｅＮＢとＵＥとの間に予め定まった約束に従う方式などを用いて、アップデートを必要とする全ての代表ＣＣに対するＲＡＰを同時に転送する方式と、転送を必要とする全ての代表ＣＣのうちの一部のＲＡＰは同時に転送し、残りの一部に対してはランダムにまたは順次に転送する方式と、転送を必要とする全ての代表ＣＣに対するＲＡＰを各々個別的に転送する方式のうちの１つを決める機能を実行する。
【０２９７】
ＲＡＰ転送部１２３０は決まったＲＡＰ転送方式に従って、アップデートを必要とする全ての代表ＣＣに対するＲＡＰを同時にｅＮＢに転送する、転送を必要とする全ての代表ＣＣのうちの一部のＲＡＰは同時に転送し、残りの一部に対してはランダムにまたは順次にｅＮＢに転送する、または転送を必要とする全ての代表ＣＣに対するＲＡＰを各々個別的にｅＮＢに転送する機能を実行する。
【０２９８】
ＲＡＲ受信部１２４０及びＴＡ有効性検証部１２５０は、ｅＮＢから転送された代表ＣＣに対するＲＡＲを受信した後、アップデートを必要とする代表ＣＣの新たなＴＡ値を算出し、その有効性を検証する機能を実行する。
【０２９９】
ＴＡアップデート部１２６０は、アップデートを必要とする代表ＣＣの以前のＴＡ値を新たなＴＡ値に更新する機能を実行する。
【０３００】
一方、アップリンクタイミンググループ設定部１２７０は、初期アップリンクタイミンググルーピングをＵＥ自身が実行する場合に必要な構成であって、初期に全てのＣＣに対するＲＡＰをｅＮＢに転送し、ＲＡＲを受信し、ＴＡ値を演算し、グルーピング条件に従って全てのＣＣを１つ以上のアップリンクタイミンググループにグルーピングする機能を実行する。
【０３０１】
本明細書に係る上記ＲＡＰ送信装置は、ＵＥの内部またはそれと連動して具現されることが好ましいが、それに限定されるものではない。
【０３０２】
図１６は、本発明の他の実施形態に係るＲＡＰ送信装置の構成図である。
【０３０３】
図１６に係るＲＡＰ送信装置または装置は、初期アップリンクタイミンググループが設定された状態で、上記アップリンクタイミンググループの再編成を必要とする場合、１つ以上のＣＣに対するＴＡ獲得方式を決めるＴＡ獲得方式決定部と、決まったＴＡ獲得方式に従って上記１つ以上のＣＣに対するＲＡＰを転送するＲＡＰ転送部とを含むことができ、細部的な構成は以下の通りである。
【０３０４】
ＲＡＰ送信装置１３００は、グループ再編成条件確認部１３１０、ＴＡ獲得方式決定部１３２０、ＲＡＰ転送部１３３０、ＲＡＲ受信部１３４０、ＴＡ有効性検証部１３５０、及びＴＡアップデート部１３６０などを含んで構成される。また、グループ再設定をＵＥが実行する場合には、アップリンクタイミンググループ再設定部１３７０を含み、グループ再設定をｅＮＢが実行する場合には、アップリンクタイミンググループ情報受信部１３８０を含むことができる。
【０３０５】
即ち、グループ再設定の主体によって、本実施形態による受信装置はアップリンクタイミンググループ再設定部１３７０またはタイミンググループ情報受信部１３８０を選択的に含むようになる。
【０３０６】
グループ再編成条件確認部１３１０は、ＵＥのグループ内のＣＣのうちの一部アップリンクＣＣに対してアップリンク転送データに対する応答がない場合、またはｅＮＢがダウンリンク同期に対するグループ内の一部のＣＣに対して再設定を要求する場合、またはＣＣ毎に設定したＣＣ時間調整タイマー（Time Alignment timer）が満了した場合、ｅＮＢ内のダウンリンク／アップリンク接続設定が変更される場合、またはアップリンクタイミンググループ変更及びグループ内のダウンリンク／アップリンク接続設定が変更される場合、ＵＥが新たな追加アップリンクＣＣを追加構成した場合などのようなアップリンクタイミンググループ再編成条件が発生するか否かを確認する機能を実行する。
【０３０７】
特に、グループ再編成条件確認部１３１０は、発生したグループ再編成条件が、ＵＥが新たな追加アップリンクＣＣを追加構成した場合であるか、この場合でなければ他のグループ再編成条件であるか否かを確認する機能を実行する。これは、グループ再編成条件が追加アップリンクＣＣ追加であるか否かによってＲＡＰ転送過程が変わるためである。
【０３０８】
ＴＡ獲得方式決定部１３２０は、グループ解除などの条件に従ってグループ解除された全てのＣＣに対するＲＡＰを同時に転送してＴＡを獲得するか（第１方式）、グルーピングが解除された特定グループ内に含まれる全てのＣＣのＲＡＰを同時に転送してＴＡを獲得するか（第２−１方式）、特定グループ内で有効性を確保していない特定ＣＣに対するＲＡＰのみを転送してＴＡを獲得するか（第２−２方式）否かを決める。
【０３０９】
ＲＡＰ転送部１３３０は、ＴＡ獲得方式決定部１３２０が決定したＴＡ獲得方式に従ってグループ解除された全てのＣＣに対するＲＡＰを同時に転送したり、グルーピングが解除された特定グループ内に含まれる全てのＣＣのＲＡＰを同時に転送したり、特定グループ内で有効性を確保していない特定ＣＣに対するＲＡＰのみを転送する機能を実行する。
【０３１０】
一方、発生したグループ再編成条件が追加アップリンクＣＣの追加構成の場合、上記ＲＡＰ転送部１３３０は、追加アップリンクＣＣに対するＲＡＰを、該当追加アップリンクＣＣを通じてｅＮＢに転送することができる。
【０３１１】
ＲＡＲ受信部１３４０及びＴＡ有効性検証部１３５０は、ＲＡＰを転送したＣＣのＲＡＲを受信した後、該当ＣＣのＴＡ値を算出し、その有効性を検証する機能を実行する。
【０３１２】
一方、グループ再設定をＵＥが実行する場合、アップリンクタイミンググループ再設定部１３７０は、ＲＡＰを転送した全てのＣＣのＲＡＲから算出されたＣＣのＴＡ値を用いて、前述したグルーピング方式などに従ってアップリンクタイミンググループを再設定または再編成する機能を実行する。
【０３１３】
反対に、グループ再設定をｅＮＢが実行する場合、アップリンクタイミンググループ情報受信部１３８０がｅＮＢから再設定されて転送されたアップリンクタイミンググループ情報を受信し、ＲＡＲを受信したＣＣのＴＡ値をグループ内の代表ＣＣのＴＡ値に適用する機能を実行する。
【０３１４】
ＴＡアップデート部１３６０は、ＵＥまたはｅＮＢが再設定したグループによって、各グループ別に新しく生成されたＴＡ値を該当グループのＴＡ値に設定する機能を実行する。
【０３１５】
本実施形態を利用すれば、初期アップリンクタイミンググループが設定された状態で、グループの再編成無しでも特定ＣＣを通じてＴＡ値がアップデートできるという効果がある。また、グループ再編成条件を考慮してアップリンクタイミンググループが効率的に再編成できるという効果がある。
【０３１６】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術事象を限定するためのものではなく、説明するためのものであり、このような実施形態により本発明の技術事象の範囲が限定されるものではない。本発明の保護範囲は請求範囲により解釈されるべきであり、それと同等な範囲内にある全ての技術思想は本発明の権利範囲に含まれるものと解釈されるべきである。
【０３１７】
本特許出願は、２０１０年３月２９日付で韓国に出願した特許出願番号第１０−２０１０−００２７７８２号に対し、米国特許法１１９（ａ）条（３５Ｕ．Ｓ．Ｃ§１１９（ａ））により優先権を主張し、その全ての内容は参考文献として本特許出願に併合される。併せて、本特許出願は、米国の以外の国家に対しても上記と同一な理由により優先権を主張すれば、その全ての内容は参考文献として本特許出願に併合される。
【図１】
2013528968.tif 000004
【図２】
2013528968.tif 000005
【図３】
2013528968.tif 000006
【図４】
2013528968.tif 000007
【図５】
2013528968.tif 000008
【図６】
2013528968.tif 000009
【図７】
2013528968.tif 000010
【図８】
2013528968.tif 000011
【図９】
2013528968.tif 000012
【図１０】
2013528968.tif 000013
【図１１】
2013528968.tif 000014
【図１２】
2013528968.tif 000015
【図１３】
2013528968.tif 000016
【図１４】
2013528968.tif 000017
【図１５】
2013528968.tif 000018
【図１６】
2013528968.tif 000019
【国際調査報告】
2013528968.tif 000020
2013528968.tif 000021
2013528968.tif 000022
2013528968.tif 000023